(57)【要約】【課題】可動体に設けられた表示ユニットの異常発生を抑制する。【解決手段】  第２駆動モータ１７４の駆動に伴って第１位置および第２位置に姿勢変位可能な可動体１７１と、可動体１７１が待機姿勢に変位した際に第２検出片２０７ｂを検出する第２位置検出センサ２０７ａとを備える。可動体１７１の可動表示ユニット２１２に接続された第１配線Ｗ１は、可動体１７１が姿勢変位する際に所定方向へ撓みながら変形し、第２検出片２０７ｂは、可動体１７１が姿勢変位する際に第１配線Ｗ１が移動する領域を、該第１配線Ｗ１が撓みを緩める状態で通過する。【選択図】図２０
2018110908.tif 000002
【特許請求の範囲】
【請求項１】
支持体に設けられ、駆動手段の駆動に伴って第１姿勢および第２姿勢に姿勢変位可能な可動体と、該可動体が所定の姿勢に変位した際に検出部を検出する位置検出手段とを備えた遊技機において、
前記可動体は、電気部品を備え、
前記電気部品に接続された配線は、前記可動体が姿勢変位する際に所定方向へ撓みながら変形するよう前記支持体内に配設され、
前記検出部は、前記可動体が姿勢変位する際に前記配線が移動する領域を、該配線が撓みを緩める状態で通過するよう構成された
ことを特徴とする遊技機。
【発明の詳細な説明】
【技術分野】
【０００１】
この発明は、ケース体および該ケース体に収容された表示部を備え、第１位置および第２位置に姿勢変位可能な遊技機の可動表示装置に関するものである。
【背景技術】
【０００２】
パチンコ機やスロットマシンに代表される遊技機では、図柄組合わせ演出を行う表示体が設けられた表示装置を備え、表示体が遊技の前側から視認可能な状態で表示装置が配設されている。また遊技機では、表示装置の表示体の外周囲に、姿勢変位可能な可動体を備えた可動演出装置が配設されたものがある。このような遊技機では、パチンコ機においては遊技媒体であるパチンコ球が入賞口に入賞した条件に基づき、またスロットマシンではスタートレバーをＯＮした条件に基づき、表示装置の表示体において図柄組合わせ演出が行われると共に、この図柄組合わせ演出に合わせて可動演出装置が所定の演出動作を行い得るよう構成されている。
【０００３】
可動表示装置は、遊技機に搭載された制御手段により制御される駆動手段(例えば電気モータ、ロータリーソレノイド、リニアソレノイド等)を備えると共に、この駆動手段に可動体が連係されており、駆動手段の駆動により可動体が第１位置および第２位置の間で姿勢変位することで演出効果を高めるよう構成されている。このような可動演出装置を備えた遊技機は、特許文献１に開示されている。
【先行技術文献】
【特許文献】
【０００４】
【特許文献１】特開２０１１−２３９８８１号公報
【発明の概要】
【発明が解決しようとする課題】
【０００５】
特許文献１の遊技機では、可動表示装置に、所要の演出情報を表示可能な液晶タイプの表示部を備えた表示ユニットを備えている。このような可動演出装置は、配線の変形および移動の安定化を図る必要がある。
【０００６】
そこで本発明は、前述した課題を解決するために案出されたものであって、配線の変形および移動の安定化を図り得る遊技機を提供することを目的とする。
【課題を解決するための手段】
【０００７】
前記課題を克服し、所期の目的を達成するため、本願の請求項１に係る発明は、
支持体(170)に設けられ、駆動手段(174)の駆動に伴って第１姿勢および第２姿勢に姿勢変位可能な可動体(171)と、該可動体(171)が所定の姿勢に変位した際に検出部(207b)を検出する位置検出手段(207a)とを備えた遊技機において、
前記可動体(171)は、電気部品(212)を備え、
前記電気部品(212)に接続された配線(W1)は、前記可動体(171)が姿勢変位する際に所定方向へ撓みながら変形するよう前記支持体(170)内に配設され、
前記検出部(207b)は、前記可動体(171)が姿勢変位する際に前記配線(W1)が移動する領域を、該配線(W1)が撓みを緩める状態で通過するよう構成されたことを要旨とする。
請求項１に係る発明によれば、配線の変形および移動の安定化を図り得る。
【０００８】
本願には、次のような技術的思想が含まれる。
支持体(170)に設けられ、駆動手段(174)の駆動に伴って第１姿勢および第２姿勢に姿勢変位可能な可動体(171)と、該可動体(171)が所定の姿勢に変位した際に検出部(207b)を検出する位置検出手段(207a)とを備えた遊技機において、
前記可動体(171)は、
前記駆動手段(174)に連係されると共に収容部(211)を備え、該駆動手段(174)の駆動に伴って第１姿勢および第２姿勢に姿勢変位するケース体(210)と、
前記ケース体(210)の収容部(211)に収容され、所要の演出情報を表示可能な表示部(213)を備えた表示ユニット(212)と、
前記表示ユニット(212)とケース体(210)との間に設けられ、該表示ユニット(212)を該ケース体(210)に保持する弾性変形可能な緩衝保持部材(214)とを備え、
前記表示ユニット(212)に接続された配線(W1)は、前記可動体(171)が姿勢変位する際に所定方向へ撓みながら変形するよう前記支持体(170)内に配設され、
前記検出部(207b)は、前記可動体(171)が姿勢変位する際に前記配線(W1)が移動する領域を通過するよう構成されたことを要旨とする。
上記構成によれば、弾性変形可能な緩衝保持部材を介して表示ユニットがケース体に保持されるので、可動体が第１位置および第２位置に姿勢変位する際の該表示ユニットに加わる衝撃を緩和し得る。これにより、表示ユニットの異常発生を抑制し得ると共に、ケース体と表示ユニットとの間にがたつきが生じることも防止し得る。
【０００９】
本願には、次のような技術的思想が含まれる。
前記可動体(171)を回転可能に支持する回転支持部材(175)が前記支持体(170)に配設され、
前記可動体(171)は、重心位置から水平方向に外れた位置を上下方向に通過する軸線を中心として回転し得るよう前記回転支持部材(175)に支持されると共に、非作動状態において重心位置側の側端部が前記軸線より機前側に位置する姿勢に維持され、
前記回転支持部材(175)に、前記可動体(171)の重力による傾きを規制する部位(205)を備えたことを要旨とする。
また、本願には、次のような技術的思想が含まれる。
前記表示ユニット(212)は、前記表示部(213)が前面に設けられた矩形箱体に構成され、
前記表示ユニット(212)における各隅角部(212c)に、該隅角部(212c)を覆うように前記緩衝保持部材(214)が配設されていることを要旨とする。
上記構成によれば、矩形箱体に構成された表示ユニットが、該表示ユニットの隅角部に配設した緩衝保持部材を介してケース体に保持されるので、該表示ユニットに加わる衝撃を緩和し得る。
【００１０】
本願には、次のような技術的思想が含まれる。
前記表示ユニット(212)は、前記表示部(213)が前面に設けられた矩形箱体に構成され、
前記表示ユニット(212)における前記表示部(213)を挟んで両側に位置する２つの外側面(212a,212b)に、該外側面(212a,212b)を覆うように前記緩衝保持部材(214)が配設されていることを要旨とする。
上記構成によれば、矩形箱体に構成された表示ユニットが、表示部を挟んで両側に位置する２つの外側面に配設した各緩衝保持部材を介してケース体に保持されるので、該表示ユニットに加わる衝撃を緩和し得る。
【００１１】
本願には、次のような技術的思想が含まれる。
前記表示ユニット(212)は、前記表示部(213)が前面に設けられた矩形箱体に構成され、
前記表示ユニット(212)における前記表示部(213)を挟んで両側に位置する２つの外側面(212a,212b)に、該外側面(212a,212b)を覆うように前記緩衝保持部材(214)が配設されていることを要旨とする。
上記構成によれば、表示ユニットの各外側面に配設された緩衝保持部材の第１保持部を介して、表示ユニットが前後方向と交差する方向からケース体に保持されるので、表示ユニットに対して前後方向と交差する方向から加わる衝撃を緩和し得る。また、各衝撃保持部材の第２保持部および第３保持部を介して、表示ユニットが前後方向からケース体に保持されるので、表示ユニットに対して前後方向から加わる衝撃を緩和し得る。
【発明の効果】
【００１２】
本発明に係る遊技機によれば、配線の変形および移動の安定化を図り得る。
【図面の簡単な説明】
【００１３】
【図１】実施例のスロットマシンの正面図である。
【図２】図１のＸ１−Ｘ１線断面図である。
【図３】前方右斜め上方から見たスロットマシンの分解斜視図である。
【図４】後方左斜め上方から見たスロットマシンの分解斜視図である。
【図５】各可動演出体の可動体が待機姿勢となっている実施例の可動演出装置を、前方右斜め上方から見た斜視図である。
【図６】各可動演出体の可動体が待機姿勢となっている実施例の可動演出装置を、後方左斜め上方から見た斜視図である。
【図７】各可動演出体の可動体が第１姿勢となっている実施例の可動演出装置の正面図である。
【図８】図７のＸ２−Ｘ２線で破断した第１可動演出体の断面図である。
【図９】図８のＸ４−Ｘ４線で破断した第１可動演出体の断面図である。
【図１０】第１可動演出体を分解した状態で前方右斜め上方から見た可動演出装置の斜視図である。
【図１１】第１可動演出体を分解した状態で後方左斜め上方から見た可動演出装置の斜視図である。
【図１２】(ａ)は、可動体が待機姿勢で第１位置に停止した第１可動演出体を示す可動演出装置の部分正面図であり、(ｂ)は、(ａ)の背面図である。
【図１３】(ａ)は、可動体が第１姿勢で第２位置に停止した第１可動演出体を示す可動演出装置の部分正面図であり、(ｂ)は、(ａ)の背面図である。
【図１４】(ａ)は、可動体が第２姿勢で第１位置に停止した第１可動演出体を示す可動演出装置の部分正面図であり、(ｂ)は、(ａ)の背面図である。
【図１５】可動体のケース体内に配設される第１駆動制御基板に接続されて該ケース体から引き出される第１配線の配設態様を示す部分分解斜視図である。
【図１６】支持体に対する第１配線の配設態様を示す分解斜視図である。
【図１７】(ａ)は、可動体のケース体内に配設される可動表示ユニットと緩衝支持部材とを分離した状態を示す斜視図であり、(ｂ)は、可動表示ユニットの上端面および下端面に緩衝支持部材を装着した状態を示す斜視図である。
【図１８】可動体が第１姿勢において図７のＸ３−Ｘ３線位置で破断した支持体の断面図である。
【図１９】可動体が待機姿勢において図７のＸ３−Ｘ３線位置で破断した支持体の断面図である。
【図２０】可動体が待機姿勢と第２姿勢との間において図７のＸ３−Ｘ３線位置で破断した支持体の断面図であって、(ａ)は、支持体内の第１配線が最大に撓んだ状態を示し、(ｂ)は、支持体内の第１配線に第２検出片が接触した状態を示し、(ｃ)は、支持体内の第２配線が第２検出片で押されている状態を示している。
【図２１】可動体が第２姿勢において図７のＸ３−Ｘ３線位置で破断した支持体の断面図である。
【図２２】前面ユニット部材の収容部内に配設された可動演出装置の作動態様を示す説明図であって、(ａ)は、第１および第２可動演出体が第２位置に停止すると共に各可動演出体の可動体が第１姿勢となった状態を示し、(ｂ)は、第１および第２可動演出体が第２位置に停止すると共に各可動演出体の可動体が第２姿勢となった状態を示している。
【発明を実施するための形態】
【００１４】
次に、本発明に係る遊技機につき、好適な実施例を挙げて、添付図面を参照しながら以下詳細に説明する。なお実施例では、遊技媒体としてメダルを用いて遊技が行われるスロットマシン１０を例にして説明する。また、以下の説明において、「前」、「後」、「左」、「右」とは、特に断りのない限り、図１に示すようにスロットマシン１０を前側(遊技者側)から見た状態で指称する。
【実施例】
【００１５】
(スロットマシンの概略構成)
実施例のスロットマシン１０は、図１〜図４に示すように、前方に開口する矩形箱状に形成されて遊技店の図示しない設置枠台に縦置き姿勢で設置される本体としての筐体１２と、該筐体１２の前側に開閉可能に取り付けられた前側部材としての前面扉１４とを備えている。前面扉１４は、前面ユニット部材９０、前面パネル部材５５、演出表示装置７５等が配設され、該前面扉１４を筐体１２へ閉状態(図２参照)とすることで、該筐体１２の前側開口が塞がれるようになっている。また、前面扉１４の後側には、筐体１２に開閉可能に取り付けられた支持枠体１６を備えている。支持枠体１６には、図柄表示装置１００や制御装置１１０等が搭載され、該支持枠体１６を筐体１２へ閉状態(図２参照)とすることで、図柄表示装置１００、制御装置１１０等が筐体１２内に収容されるようになっている。また、筐体１２内には、メダルを払い出すホッパー装置１８や電源ユニット１９等が配設されている。
【００１６】
(筐体)
筐体１２は、図２〜図４に示すように、底板１２ａ、左右の側板１２ｂ,１２ｃ、天板１２ｄおよび後板１２ｅを備え、前側が開口する箱状の部材に形成されている。天板１２ｄは、底板１２ａより前後幅が小さく、左側板１２ｂおよび右側板１２ｃは、下縁部の前後幅が底板１２ａの前後幅と同じに設定されると共に上縁部の前後幅が天板１２ｄの前後幅と同じに設定されて、該左側板１２ｂおよび右側板１２ｃの前縁は上方に行くにつれて後方へ傾斜している。底板１２ａ、左右の側板１２ｂ,１２ｃ、天板１２ｄおよび後板１２ｅには、スリット状の貫通口が適宜位置に複数形成されており、筐体１２内の換気を行い得るようになっている。また、底板１２ａ、左右の側板１２ｂ,１２ｃ、天板１２ｄおよび後板１２ｅの内側には薄い金属板２０が配設されており、筐体１２内に収容された装置や機器が電磁波等の影響を受け難く構成されている。
【００１７】
(ヒンジ支持部材)
筐体１２には、図３に示すように、前面扉１４および支持枠体１６を回転可能に支持するヒンジ支持部材２１が、左側板１２ｂの内面における前縁に沿う部位に設けられている。ヒンジ支持部材２１は、前面扉１４および支持枠体１６を共通に支持する第１ヒンジ支持部２２と、前面扉１４を支持する第２ヒンジ支持部２３と、支持枠体１６を支持する第３ヒンジ支持部２４とからなる。第１ヒンジ支持部２２は、筐体１２の上部に設けられ、前面扉１４および支持枠体１６の左側端縁を回動自在に片持支持可能となっている。第２ヒンジ支持部２３は、筐体１２の下部に設けられ、前面扉１４を回動自在に片持支持可能となっている。第３ヒンジ支持部２４は、第１ヒンジ支持部２２と第２ヒンジ支持部２３との間に設けられ、支持枠体１６を回動自在に片持支持可能となっている。第１ヒンジ支持部２２、第２ヒンジ支持部２３および第３ヒンジ支持部２４は、上方に向けて突出した支持ピンを夫々が備えている。
【００１８】
筐体１２には、図３に示すように、右前端縁の内側(右側板１２ｃの前端縁内側)に、前面扉１４を閉状態にロックするロック部材２５が設けられている。また、筐体１２における右前端縁の内側に、支持枠体１６を閉状態にロックするロック部材(図示省略)が設けられている。
【００１９】
(支持枠体)
支持枠体１６は、図２〜図４に示すように、図柄表示装置１００、制御装置１１０およびその他の構成部材や部品が取り付けられるよう構成されている。支持枠体１６は、左右に離間して配置され、上下方向に延在する左枠部材３０および右枠部材３１と、左枠部材３０および右枠部材３１の下部に固定された下枠部材３２と、左枠部材３０の上部後側および右枠部材３１の上部後側に固定される上枠部材３３とを備えている。左枠部材３０の下部後側および右枠部材３１の下部後側には図柄表示装置１００が固定され、下枠部材３２と上枠部材３３との間に図柄表示装置１００が保持されるようになっている。また、上枠部材３３は、上方から見て後方へ突出したコ字形に構成されており、制御装置１１０をなすメイン制御装置１１１およびサブ制御装置１１２が前後に重なった状態で固定されるようになっている。
【００２０】
(連結部材および係止部材)
支持枠体１６の左枠部材３０には、図３および図４に示すように、筐体１２に設けられた前述のヒンジ支持部材２１における第１ヒンジ支持部２２および第３ヒンジ支持部２４の各支持ピンが嵌合するヒンジ連結部３４,３４が設けられている。これにより支持枠体１６は、第１ヒンジ支持部２２および第３ヒンジ支持部２４にヒンジ連結部３４,３４が連結されることで、筐体１２に対して回転可能に配設され、該筐体１２の前側開口に収容された閉状態(図２参照)および筐体１２から前方へ延出した開状態とに姿勢変位するようになっている。また、支持枠体１６の右枠部材３１には、図４に示すように、該支持枠体１６の閉状態時に、筐体１２に設けられたロック部材(図示せず)に係脱可能に係止する係止部材３５が設けられている。これにより支持枠体１６は、係止部材３５がロック部材に係止することで閉状態に姿勢保持され、図柄表示装置１００、制御装置１１０をなすメイン制御装置１１１およびサブ制御装置１１２等を筐体１２内に保持する。
【００２１】
(図柄表示装置について)
図柄表示装置１００は、図２〜図４に示すように、第１〜第３リールユニット１０１,１０２,１０３を、前側が開口したユニットケース１０４内に横並びに収容してユニット化されている。ユニットケース１０４には、支持枠体１６に固定するための固定部が設けられており、図柄表示装置１００は、ユニットケース１０４の前側開口を支持枠体１６に整合させた状態で該支持枠体１６に取り付けられる。第１〜第３リールユニット１０１,１０２,１０３は、図２に示すように、駆動基板１０５と、駆動基板１０５に配設されたステッピングモータであるリール駆動モータ１０６と、図示省略した複数の図柄が周囲に配置され、リール駆動モータ１０６により回転されるリール１０７と、リール１０７の内側に配設されて図柄を内側から照明する照明装置１０８等を備えている。このような図柄表示装置１００は、前面パネル部材５５に配設されたスタートレバー６３(図１参照)が操作されると、第１〜第３リールユニット１０１,１０２,１０３の各リール１０７,１０７,１０７が回転を開始されるよう制御される。また、図柄表示装置１００は、前面パネル部材５５に配設された第１ストップボタン６４(図１参照)の押圧操作に基づいて第１リールユニット１０１のリール１０７を停止させ、第２ストップボタン６５の押圧操作に基づいて第２リールユニット１０２のリール１０７を停止させ、第３ストップボタン６６の押圧操作に基づいて第３リールユニット１０３のリール１０７を停止させるよう制御される。
【００２２】
(制御装置について)
制御装置１１０は、支持枠体１６に対して、図柄表示装置１００の配設位置より上側に配設されている。この制御装置１１０は、支持枠体１６の上枠部材３３に配設されたメイン制御装置１１１およびサブ制御装置１１２から構成される。実施例では、上枠部材３３の後面側にメイン制御装置１１１が取り付けられると共に、該上枠部材３３にサブ制御装置１１２が収納状態で取り付けられている。メイン制御装置１１１には、前面パネル部材５５に設けられた１ベットボタン６０、ＭＡＸベットボタン６１、スタートレバー６３、第１〜第３ストップボタン６４,６５,６６、そして第１〜第３リールユニット１０１,１０２,１０３の駆動モータ１０６やホッパー装置１８等が接続されている。なお、１ベットボタン６０、ＭＡＸベットボタン６１、スタートレバー６３、第１〜第３ストップボタン６４,６５,６６は、該１ベットボタン６０、ＭＡＸベットボタン６１、スタートレバー６３、第１〜第３ストップボタン６４,６５,６６が操作された際に操作信号を出力するスイッチを備えている。そして、メイン制御装置１１１は、１ベットボタン６０、ＭＡＸベットボタン６１、スタートレバー６３、第１〜第３ストップボタン６４,６５,６６等からの操作信号の入力に基づいて、第１〜第３リールユニット１０１,１０２,１０３の動作制御および入賞役抽選等の、主としてスロットマシン１０の遊技に関する各種制御を行うよう構成されている。これに対してサブ制御装置１１２には、演出表示装置７５、照明装置６８を含む各種照明装置、スピーカ７０、可動演出装置１５０を含む各種演出装置等が接続されている。そして、サブ制御装置１１２は、遊技の進行に応じた画像や動画等の選択、演出表示装置７５の表示部７７での表示態様、照明装置６８の発光態様、可動演出装置１５０を含む演出装置の動作態様およびスピーカ７０の音出力態様等に関する、主にスロットマシン１０における遊技の演出に関する各種制御を行うよう構成されている。
【００２３】
(前面扉)
前面扉１４は、図２〜図４に示すように、筐体１２の前側開口の外周縁に整合する形状の前枠体１５を備えている。前枠体１５は、左右方向に延在する下枠部材４０と、上下方向に延在して下枠部材４０の左端に下端が連結される左枠部材４１と、上下方向に延在して下枠部材４０の右端に下端が連結される右枠部材４２と、左右方向に延在して左枠部材４１の上端および右枠部材４２の上端に左端および右端が夫々連結される上枠部材４３とにより枠状に構成される。また、前枠体１５には、上枠部材４３と下枠部材４０との間に、左右に延在する中枠部材４４が、その左端が左枠部材４１の上下中間部に連結されると共に右端が右枠部材４２の上下中間部に連結された状態で設けられている。ここで、前枠体１５における上下略中央から上側部分が第１設置部４５であり、該前枠体１５における上下略中央から下側部分が第２設置部４６となっている。第１設置部４５には、前面ユニット部材９０および演出表示装置７５が着脱可能に取り付けられると共に、第２設置部４６には、前面パネル部材５５が取り付けられる。また、前枠体１５において、左枠部材４１、右枠部材４２、上枠部材４３および中枠部材４４で囲まれた開口に、該開口に整合する透明なガラス板４９が取り付けられている(図２、図３参照)。
【００２４】
(連結部材およびロック機構)
前面扉１４の左枠部材４１には、図３または図４に示すように、筐体１２に設けられた前述のヒンジ支持部材２１における第１ヒンジ支持部２２および第３ヒンジ支持部２４の各支持ピン２２ａ,２４ａが嵌合するヒンジ連結部４７,４７が設けられている。これにより前面扉１４は、第１ヒンジ支持部２２および第３ヒンジ支持部２４にヒンジ連結部４７,４７が連結されることで筐体１２に対して回転可能に配設され、該前面扉１４は、該筐体１２の前側開口に前枠体１５が整合した閉状態(図２参照)および筐体１２から前方へ延出した開状態とに姿勢変位するようになっている。また、前面扉１４の右枠部材４２には、図４に示すように、該前面扉１４の閉状態時に、筐体１２に設けられた前述のロック部材２５に係脱可能な係止部を備えたロック機構４８が設けられている。これにより前面扉１４は、ロック機構４８の係止部がロック部材２５に係止することで、閉状態に姿勢保持されるようになっている。なお、ロック機構４８は、開閉鍵による操作により、係止部とロック部材２５との係止を解除可能に構成されている。
【００２５】
(前面パネル部材)
前面パネル部材５５は、図１〜図４に示すように、前方へ膨出した形状に構成されている。前面パネル部材５５は、上部に設けれた操作パネル部５６と、該操作パネル部５６の下側に設けられた装飾パネル部５７と、装飾パネル部５７の下側に設けられた受け皿５８とを備えている。操作パネル部５６の上面には、遊技媒体であるメダルを投入するメダル投入口５９と、クレジットメダルを用いて遊技状態に応じて定められた規定の投入数のうち最大投入数(実施例では３枚)を投入する際に操作されるＭＡＸベットボタン６１と、遊技中の適時に操作可能なチャンスボタン６２と、精算スイッチ７１等が配設されている。また、１枚のクレジットメダルを投入する際に操作される１ベットボタン６０が、操作パネル部５６の前面左側に設けられている。また、操作パネル部５６の前面には、図柄表示装置１００における第１〜第３リールユニット１０１,１０２,１０３のリール１０７,１０７,１０７を回転させて遊技を開始する際に操作されるスタートレバー６３と、第１リールユニット１０１のリール１０７を停止させる際に操作される第１ストップボタン６４と、第２リールユニット１０２のリール１０７を停止させる際に操作される第２ストップボタン６５と、第３リールユニット１０３のリール１０７を停止させる際に操作される第３ストップボタン６６等が配設されている。
【００２６】
装飾パネル部５７には、透明または半透明な部材で透光性を有する装飾部材６７と、該装飾部材６７の後側に配設された照明装置６８と、受け皿５８の後方に配設されたスピーカ７０等によりユニット化されており、照明装置６８に設けられた発光ランプ６８ａが点灯・点滅することで、装飾部材６７が明輝されるようになっている。また、スピーカ７０,７０の間には排出口６９が設けられ、ホッパー装置１８から払い出されたメダルが、該排出口６９から受け皿５８に向けて払い出され得るようになっている。
【００２７】
実施例のスロットマシン１０では、メダル投入口５９にメダルを投入するか、１ベットボタン６０またはＭＡＸベットボタン６１が操作されると、メダルがベットされてスタートレバー６３が有効化されるようになっている。そして、有効化されたスタートレバー６３が操作されると、これに伴ってゲームが開始される。また、ゲームが開始されると、メイン制御装置１１１において入賞役に当選か否かを決定する入賞役抽選が実行されて複数種類の入賞役の何れかまたははずれが決定されると共に、第１〜第３リールユニット１０１,１０２,１０３の各リール１０７が回転を開始する。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット１０１,１０２,１０３のリール１０７の回転が停止される。そして、第１〜第３リールユニット１０１,１０２,１０３のリール１０７が全て停止することで１回のゲームが終了し、このゲームの結果、入賞役抽選で当選した入賞役が入賞(当選した入賞役に対応する図柄の組合わせが揃った場合)すると、入賞した入賞役に対応付けられた処理が実行されるようになっている。
【００２８】
ここで、前記入賞役としては、所定数のメダルが払い出される小役や、メダルをベットすることなくゲームを実行できるリプレイ役や、次回以降に特殊ゲームが開始されるボーナス役等、その他各種の入賞役が設定されている。
【００２９】
(演出表示装置)
演出表示装置７５は、図２〜図４に示すように、演出内容を表示する表示部７７を備えた表示ユニット７６と、表示ユニット７６を後側から保持すると共に前面扉１４に取り付けられる保持部材７８とを備えている。表示ユニット７６は、略矩形状に形成されて、第１設置部４５の開口領域と略同じ大きさに構成されている。演出表示装置７５は、図１に示すように、上下略中央より上側に、画像や映像等による演出表示が可能な表示部７７が設けられると共に、該表示部７７の下側に、図柄表示装置１００の第１〜第３リールユニット１０１,１０２,１０３における各リール１０７の外周面に形成された図柄を透視可能な窓部８２,８２,８２が横並びに設けられている。
【００３０】
実施例の表示ユニット７６は、表示部７７として液晶パネルが採用されており、遊技の進行に応じて種々の画像や動画等が表示可能となっている。表示ユニット７６の表示部７７で表示する画像や動画としては、例えば各種の入賞役の成立を遊技者に報知する画像や、遊技者の興趣を向上させるようなキャラクター動画等が挙げられる。表示部７７としては、液晶パネルに限らず、有機ＥＬ（Ｅｌｅｃｔｒｏ−Ｌｕｍｉｎｅｓｃｅｎｃｅ）等であってもよい。なお、表示部７７の後側には、サブ制御装置１１２からの配線を接続するコネクタ端子８１が設けられている。
【００３１】
各窓部８２,８２,８２は、図１に示すように、図柄表示装置１００の第１〜第３リールユニット１０１,１０２,１０３の前方に設けられている。各窓部８２,８２,８２は、矩形状をなし、リール１０７,１０７,１０７の外周に形成された図柄のうちの複数(実施例では３個)の図柄を透視可能な大きさに形成されており、３列×３段で合計９個の図柄が視認可能となっている。
【００３２】
保持部材７８は、図２および図４に示すように、前方に開口して表示ユニット７６を収容可能な形状に形成された部材である。保持部材７８には、透視領域８０の各窓部８２,８２,８２を後側へ露出させる開口部８３が設けられている。保持部材７８には、前面扉１４に固定するための取付手段が設けられており、表示ユニット７６が保持部材７８に収容保持された演出表示装置７５は、該取付手段を利用して前面扉１４の第１設置部４５に後側から着脱可能に取り付けられるようになっている。
【００３３】
(前面ユニット部材)
前面ユニット部材９０は、図２〜図４に示すように、前面扉１４の前枠体１５における第１設置部４５に対し、前側から着脱可能に取り付けられる。前面ユニット部材９０は、第１設置部４５の全体を前側から覆い得る形状に形成され、演出表示装置７５の前側に重なるように配設されると共に、前面パネル部材５５の上側に重なるように配設される。前面ユニット部材９０は、前面扉１４に固定される支持体９１と、該支持体９１の前側に設けられた装飾体９２とを備えている。支持体９１と装飾体９２とは、別々に組み立てられた後に互いに組み付けられるよう構成されている。なお、前面ユニット部材９０は、支持体９１と装飾体９２とを一体に形成した単一の部材として構成したものであってもよい。
【００３４】
支持体９１は、図３および図４に示すように、中央に表示開口９１ａが形成されて矩形枠状に形成されており、可動演出装置１５０や、装飾部材、照明装置および中継基板等が取り付けられるようになっている。支持体９１の表示開口９１ａには、前面ユニット部材９０を取り付けた前面扉１４を閉状態とした際に、演出表示装置７５の表示部７７および各窓部８２,８２,８２が臨むようになっている。装飾体９２は、図１〜図４に示すように、後側へ開口した箱体状に構成され、左縁から上縁および右縁に亘って延在する外周装飾部９３と、外周装飾部９３の前部内側に設けられた透明または半透明な前面板部９４とを備えている。外周装飾部９３は、前面板部９４の上側に位置する上装飾壁９３ａの前後幅が最大で、前面板部９４の左側に位置する左装飾壁９３ｂおよび右側に位置する右装飾壁９３ｃの下部における前後幅が最小となっている。そして、左装飾壁９３ｂおよび右装飾壁９３ｃは、上装飾壁９３ａに連設する上部から略上下中央までは略同じ前後幅に形成されて、上下中央から下方に行くにつれて前後幅が徐々に小さくなっている。外周装飾部９３は、透明または半透明に構成されて光透過性を有し、該外周装飾部９３の内側には発光基板(図示せず)が複数配設されており、該発光基板に実装されたＬＥＤが点灯制御されることで外周装飾部９３の外面が明輝するよう構成されている。
【００３５】
前面板部９４は、図２〜図４に示すように、外周装飾部９３の左装飾壁９３ｂおよび右装飾壁９３ｃの前縁形状に合わせて上下略中央で折曲しており、該折曲部から上側部分が略垂直に延在しており、該折曲部から下側部分は、下方に行くにつれて後方へ変位するよう後方傾斜している。前面板部９４は、支持体９１の表示開口９１ａと略同じ大きさとなっており、演出表示装置７５の表示部７７および各窓部８２,８２,８２の前側に重なるように配設されている。すなわち、前面板部９４は、図柄表示装置１００の第１〜第３リールユニット１０１,１０２,１０３と前後に重なるように配設されている。また、前面板部９４は、演出表示装置７５の表示部７７および各窓部８２,８２,８２の前面から前側へ離間した位置に配設されている。
【００３６】
(収容部)
前面ユニット部材９０は、図２に示すように、前面板部９４の後側に、可動演出装置１５０等を収容可能な収容部９５が画成されている。収容部９５は、演出表示装置７５における表示部７７の前側に画成されている。また、収容部９５は、前面ユニット部材９０の後端より前側に画成されている。従って、収容部９５は、可動演出装置１５０の可動演出体１５２,１５３における可動体１７１,１７１が表示部７７の前側まで移動するのを許容するように構成され(図２２参照)、前面板部９４を介して該可動体１７１,１７１を透視可能に構成されている(図１参照)。更に、前面ユニット部材９０は、可動演出装置１５０を該前面ユニット部材９０に取り付けた状態で、前枠体１５に対して前側から着脱可能となっている。
【００３７】
(可動演出装置)
次に、前面ユニット部材９０の収容部９５内に収容した状態で該前面ユニット部材９０に取り付けられる可動演出装置１５０について説明する。
【００３８】
可動演出装置１５０は、図５〜図７に示すように、前面ユニット部材９０の支持体９１に取り付けられる固定ベース体１５１と、該固定ベース体１５１に対して左右に隣接して移動可能に配設された２つの可動演出体１５２,１５３とを備えている。各可動演出体１５２,１５３は、駆動手段を個別に備えており、同期的または非同期的に作動制御可能となっている(以降、左側の可動演出体１５２を「第１可動演出体」と指称すると共に、右側の可動演出体１５３を「第２可動演出体」と指称する)。第１可動演出体１５２および第２可動演出体１５３は、構成部材の細部形状が一部異なっているものの、基本的には左右対称の関係をなす同一構成となっている。従って、ここでは、第１可動演出体１５２について説明し、第２可動演出体１５３に関しては、第１可動演出体１５２と同一部材、部位は同一の符号を付すこととする。
【００３９】
(固定ベース体)
第１可動演出体１５２および第２可動演出体１５３が移動可能に配設される固定ベース体１５１は、図３および図４に示すように、前面ユニット部材９０の支持体９１に前側から固定されるようになっている。固定ベース体１５１は、図５〜図７、図１０および図１１に示すように、矩形枠状に構成されており、左右方向へ延在する上ベース部１５４と、該上ベース部１５４の左端から下方へ延在する左ベース部１５５と、上ベース部１５４の右端から下方へ左ベース部１５５と平行に延在する右ベース部１５６と、左ベース部１５５の下端に左端が連設されると共に右ベース部１５６の下端に右端が連設されて左右方向へ延在する下ベース部１５７とを備えている。上ベース部１５４および下ベース部１５７の左右長は、前面ユニット部材９０における支持体９１の左右長と略同じであり、左ベース部１５５および右ベース部１５６の上下長は、該支持体９１上下長の略１／２となっている。そして固定ベース体１５１は、支持体９１の上部に上ベース部１５４を取り付け、該支持体９１の左側部に左ベース部１５５を取り付けると共に、該支持体９１の右側部に右ベース部１５６を取り付けることで、該支持体９１の前側に固定されるようになっている。これにより、固定ベース体１５１の下ベース部１５７は、支持体９１の表示開口９１ａにおいて、各窓部８２,８２,８２より上方で左右方向に延在するようになる(図３、図４参照)。
【００４０】
(移動機構)
図５〜図７、図１０および図１１に示すように、固定ベース体１５１における上ベース部１５４の前面および下ベース部１５７の上面に、第１可動演出体１５２を移動可能に支持する第１移動機構１５８と、第２可動演出体１５３を移動可能に支持する第２移動機構１５９とが、固定ベース体１５１の左右中央を挟んだ左右に並んで配設されている。各移動機構１５８,１５９は、一部の部材の形状が異なるものの各構成部材が左右対称の関係で配置されていて、基本的な構成は同じである。従って、ここでは、第１可動演出体１５２を移動可能に支持する第１移動機構１５８について説明し、第第２移動機構１５９については、同一の符号を付して説明を省略する。
【００４１】
第１移動機構１５８は、図５、図７、図９および図１０に示すように、固定ベース体１５１の上ベース部１５４に配設された駆動手段としての第１駆動モータ１６０と、固定ベース体１５１の上ベース部１５４の前面に、左右方向へ延在して左右両端が支持されたガイドバー１６１と、ガイドバー１６１に左右方向へ移動可能に支持されたスライド部材１６２と、下ベース部１５７の上面に配設されたガイドレール１６３と、後述する可動体１７１に配設されて該ガイドレール１６３に沿って摺動するスライド体１６９(図８、図１０参照)とを備えている。第１駆動モータ１６０は、上ベース部１５４の前側に固定されるブラケット１６４の前面に、駆動軸１６０ａを後方に向けた姿勢で固定され、該ブラケット１６４の後側へ延出した該駆動軸１６０ａに連係手段としての第１駆動ギア１６５が固定されている。スライド部材１６２は、ガイドバー１６１が挿通される挿通孔１６６を備えると共に、貫通した該ガイドバー１６１に摺動可能に支持される。スライド部材１６２は、支持体１７０を固定する固定部１６７が設けられると共に、第１駆動ギア１６５と対向する上部に、該第１駆動ギア１６５に噛合する連係手段として第１従動ギア１６８が、左右方向に延在すると共に歯部を上方に向けた状態で設けられている。従って、第１駆動モータ１６０を正逆回転制御することで、第１駆動ギア１６５と第１従動ギア１６８との噛合下に、スライド部材１６２がガイドバー１６１に沿って左右方向へ移動する。また、スライド体１６９は、第１駆動モータ１６０の駆動に伴う可動体１７１の左右方向の移動に伴ってガイドレール１６３に沿って左右方向へ移動するようになっている。
【００４２】
(第１可動演出体)
第１可動演出体１５２は、図７〜図１２に示すように、第１移動機構１５８のスライド部材１６２に固定された支持体１７０と、該支持体１７０に配設された可動体１７１とを備えている。支持体１７０および可動体１７１は、第１移動機構１５８におけるスライド部材１６２の移動により、左ベース部１５５に近接した(第２可動演出体１５２は右ベース部１５６に近接した)第１位置(図５、図６、図１２、図１４参照)および該第１位置から固定ベース体１５１の中央側に位置する第２位置(図７、図１３、図２２参照)の間を移動可能になっている。支持体１７０には、該支持体１７０に対して可動体１７１を姿勢変位させる作動機構１７３が配設されており、可動体１７１は、作動機構１７３の作動により、支持体１７０に対して表示開口２３９が前側に位置する第１姿勢(図７、図１３、図２２(ａ)参照)および該表示開口２３９が後側に位置する第２姿勢(図１４、図２２(ｂ)参照)の間を回転可能になっている。また、第１可動演出体１５２の可動体１７１は、第１姿勢および第２姿勢の間で表示開口２３９が右斜め前方に向いた(第２可動演出体１５３では表示開口２３９が左斜め前方に向いた)待機姿勢(図５、図６、図１２参照)において停止可能になっている。すなわち第１可動演出体１５２は、第１移動機構１５８の作動により、第１位置および該第１位置より前面ユニット部材９０の左右中央側となる第２位置の間を左右方向へ移動可能であると共に、第１位置、第２位置および両位置の間の適宜位置において、作動機構１７３の作動により、可動体１７１が第１姿勢および第２姿勢の間を回転可能に構成されている。
【００４３】
(支持体)
支持体１７０は、図７〜図１２に示すように、内部に収容空間１７０ａが画成された箱体状に構成されている。支持体１７０は、複数(実施例では２つ)の支持ケース部材(第１支持ケース部材１８０および第２支持ケース部材１８１)を組み合わせて箱体状に構成される。支持体１７０は、略矩形の箱体状をなしており、第１支持ケース部材１８０は、該支持体１７０の後壁１７０ｂ、下壁１７０ｃ、左壁１７０ｄおよび右壁１７０ｅを構成し、第２支持ケース部材１８１は、該支持体１７０の前壁１７０ｆおよび上壁１７０ｇを構成している。支持体１７０の前壁１７０ｆ、左壁１７０ｄおよび右壁１７０ｅの外面は、所要の凹凸模様の意匠が施されている。なお、前壁１７０ｆは、図２１に示すように、移動位置に移動した第２位置検出手段２０７の第２検出片２０７ｂに近接する位置に、収容空間１７０ａ内へ突出する保持リブ１９６を内面に備えており、該第２係止片２０７ｂに押された第１配線Ｗ１に該保持リブ１９６が接触可能となっている。
【００４４】
第１支持ケース部材１８０および第２支持ケース部材１８１は、図１０、図１１および図１６に示すように、両部材１８０,１８１に設けられた組み付け手段１８２により組み付けられる。第１支持ケース部材１８０には、組み付け手段１８２として、右壁１７０ｅの内面に突設された係止突部１８３と、下壁１７０ｃの内面(上面)に立設された固定ボス１８４とが設けられている。係止突部１８３は、右壁１７０ｅから収容空間１７０ａ内へ突出するように設けられ、固定ボス１８４は、下壁１７０ｃの左縁近傍(左壁１７０ｄの近傍)において上方に向けて突設されると共に、上端にネジ締結孔１８４ａが形成されている。また、第２支持ケース部材１８１には、組み付け手段１８２として、上壁１７０ｇの右端に設けられた係止爪片１８５と、該上壁１７０ｇの固定ボス１８４のネジ締結孔１８４ａに整合する位置に設けられたネジ挿通孔１８６(図１６参照)とが設けられている。係止爪片１８５は、上壁１７０ｇの右端から下方へ延出すると共に、右側下部に右方へ突出した係止部１８５ａが設けられている。従って、係止爪部１８５を係止突部１８３に係止させると共に、固定ボス１８４のネジ締結孔１８４ａに整合したネジ挿通孔１８６を介して該ネジ締結孔１８４ａにネジを締結することで、第１支持ケース部材１８０と第２支持ケース部材１８１とが組み付けられる。
【００４５】
支持体１７０は、図１０および図１１に示すように、後壁１７０ｂおよび上壁１７０ｇが、第１移動機構１５８のスライド部材１６２における固定部１６７の前側に、ネジにより固定されるようになっている。すなわち、固定部１６７および後壁１７０ｂにネジ挿通孔が形成されると共に、上壁１７０ｂにネジ締結孔が形成されており、固定部１６７の後方から挿通したネジをネジ締結孔に締結することで、支持体１７０がスライド部材１６２に固定される。また、後壁１７０ｂの収容空間１７０ａに臨む内面(前面)には、第１位置検出手段２０６および第２位置検出手段２０７の位置検出センサ２０６ａ,２０７ａが実装されたセンサ基板１８７が、ネジにより固定されるようになっている(図８、図１８参照)。また、支持体１７０内には、作動機構１７３を構成する回転支持部材１７５や、後述する第１配線Ｗ１および第２配線Ｗ２が収容されている(図１８参照)。
【００４６】
支持体１７０の下壁１７０ｃには、図８、図９および図１８に示すように、回転支持部材１７５を回転可能に支持する下支持部１８８が設けられている。下支持部１８８は、上下に開口する円形の孔であり、下壁１７０ｃの右側に偏った位置に設けられている。また、下壁１７０ｃには、該下壁１７０ｃの前端と下支持部１８８の間に挿通口１８９が形成されており、回転支持部材１７５の下軸部２０２の挿通が許容されるようになっている。挿通口１８９は、その左右開口幅が下支持部１８８の直径より小さく設定されており、下軸部２０２を挿通させる際には下壁１７０ｃが挿通口１８９が拡開するよう変形することで該下軸部２０２の挿通を許容し、可動体１７１に固定した回転支持部材１７５の第１支持ケース部材１８０に対する取り付けが許容される。また、下支持部１８８に下軸部２０２が嵌合した状態では、回転支持部材１７５が前方(該挿通口１８９側)へ移動することは規制される。
【００４７】
(規制ボス)
支持体１７０の下壁１７０ｃには、図１６および図１８に示すように、下壁１７０ｃの前側左方において、下壁１７０ｃから上方へ立ち上がった規制ボス１９０が設けられている。規制ボス１９０は、支持体１７０内に収容された第１配線Ｗ１における折り曲げ部分と該支持体１７０内に延在する部分との間に後方から接触して、該第１配線Ｗ１の折り曲げ部分を該支持体１７０の左壁１７０ｄ側に保持するようになっている。
【００４８】
支持体１７０の上壁１７０ｇは、図８〜図１１および図１６に示すように、作動機構１７３の第２駆動モータ１７４を取り付け可能に構成されている。上壁１７０ｇは、第２駆動モータ１７４の駆動軸１７４ａが挿通可能な軸挿通孔１９１と、第２駆動モータ１７４を固定する固定ネジがねじ込まれるネジ締結孔１９２が複数(実施例では２つ)形成されている。また、上壁１７０ｇの内面には、回転支持部材１７５を回転可能に支持する上支持部１９３が設けられている(図８参照)。上支持部１９３は、下壁１７０ｃに設けられた下支持部１８８の中心を通る垂直軸線に中心が一致する位置において、上下に開口開口する円形孔である。すなわち、上支持部１９３は、上壁１７０ｇの右側に偏った位置に設けられている。
【００４９】
(配線保持板部)
第２支持ケース部材１８１には、図９および図１６に示すように、第１配線Ｗ１および第２配線Ｗ２を左壁１７０ｄとで挟んで保持する配線保持板部１９４が設けられている。配線保持板部１９４は、上壁１７０ｇの左端に上下方向へ延在するように形成されており、第２支持ケース部材１８１と第１支持ケース部材１８０とを組み付けることで、左壁１７０ｄの内面(右面)に対向する。そして、左壁部１７０ｄと配線保持板部１９４との間には、前後方向へ延在すると共に上下方向に向いた配線挿通部１９５が画成される。従って、固定ベース体１５１の上ベース部１５４にブラケットを介して設置された中継基板１９７(図５〜図７参照)に接続された第１配線Ｗ１および第２配線Ｗ２は、前後に並んだ(第１配線Ｗ１が前側で第２配線Ｗ２が後側)状態で、左壁１７０ｄと配線保持板部１９４とにより左右から挟まれた状態で配線挿通部１９５に通されるよう構成されている。
【００５０】
(作動機構)
支持体１７０に配設される作動機構１７３は、図７〜図１１に示すように、支持体１７０の上壁１７０ｇに配設された駆動手段としての第２駆動モータ１７４と、支持体１７０内に垂直軸回りに回転可能に配設されて、可動体１７１を支持する回転支持部材１７５とを備えている。第２駆動モータ１７４は、支持体１７０の上壁１７０ｇの上面に、駆動軸１７４ａを下方に向けた倒立姿勢で固定され、該上壁１７０ｇから支持体１７０内へ延出した該駆動軸１７４ａに、連係手段としての第２駆動ギア１７６が固定されている。回転支持部材１７５は、図８、図９および図１６に示すように、第２駆動ギア１７６と対向する上部に、該第２駆動ギア１７６に噛合する連係手段として第２従動ギア１７７が設けられている。第２駆動ギア１７６および第２従動ギア１７７は、何れも平歯車である。従って、第２駆動モータ１７４を正逆回転制御することで、第２駆動ギア１７６と第２従動ギア１７７との噛合下に、支持体１７０内に支持された回転支持部材１７５が上下軸回りに往復回転するようになり、該回転支持部材１７５に支持された可動体１７１が第１姿勢および第２姿勢の間を回転変位するようになっている。
【００５１】
(第２駆動モータ)
第２駆動モータ１７４は、図８〜図１１に示すように、モータ本体にギアボックスを備えた電動モータであり、該ギアボックスから駆動軸１７４ａが延出している。第２駆動モータ１７４には、モータ本体をカバーするモータカバー１７８が装着される。このモータカバー１７８は、第２駆動モータ１７４を上壁１７０ｇに固定するネジを利用して第２駆動モータ１７４に固定される。
【００５２】
(回転支持部材)
回転支持部材１７５は、図８〜図１１、図１５および図１６に示すように、下方に開口する円筒状の本体２００と、該本体２００の上側に設けられた前述の第２従動ギア１７７と、第２従動ギア１７７の上側に設けられて前述した上支持部１９３に回転可能に嵌合する上軸部２０１と、本体２００の下側に設けられて前述した下支持部１８８に回転可能に嵌合する下軸部２０２とを備えている。本体２００は、下方に開口して可動体１７１の連結部２３７が下方から差し込まれる内部空間２０３が画成されると共に、外周面の一部に、内部空間２０３に連通する配線挿通口２０４が形成されている。配線挿通口２０４は、支持体１７０内に収容された第１配線Ｗ１が、幅方向が上下方向となる姿勢において挿通可能となっている。図１５および図１８に示すように、配線挿通口２０４における上下方向に延在する開口縁には、径方向内方へ延出する配線案内片２０４ａが設けられており、回転支持部材１７５が回転変位する際に、配線挿通口２０４に挿通された第１配線Ｗ１が該配線案内片２０４ａに接触し得るようになっている。
【００５３】
回転支持部材１７５の本体２００における外周面の下縁には、図１５および図１８に示すように、径方向外方へ延出した鍔部２０５が、周方向へ所要長さに形成されている。この鍔部２０５は、本体２００の外周面において、配線挿通口２０４の下縁に位置すると共に該配線挿通口２０４の周方向開口幅より長く形成されている。すなわち鍔部２０５は、回転支持部材１７５の回転変位する際に、支持体１７０の収容空間１７０ａに収容された第１配線Ｗ１に下方から接触可能となっており、第１配線Ｗ１が下壁１７０ｃに接触するのを防止して、該第１配線Ｗ１が支持体１７０の下壁１７０ｃから浮いた状態に保持するようになっている。
【００５４】
また、可動体１７１は、その略中央部に重心が位置するよう構成されているが、図９および図１８に示すように、重心位置から水平方向へずれた位置で回転支持部材１７５に支持されるようになっているため、可動体１７１を支持した回転支持部材１７５には、図９において左へ傾くモーメントが発生する。このため鍔部２０５は、水平方向において可動体１７１の重心位置側へも延出するよう形成される(図１８参照)と共に、支持体１７０の下壁１７０ｃにおける下支持部１８８の周辺部分に上方から接触するように形成されている(図８参照)。これにより鍔部２０５は、支持体１７０の下壁１７０ｃに接触することで、可動体１７１を支持した回転支持部材１７５が傾くことを規制し得るようにもなっている。
【００５５】
(位置検出手段)
第１可動演出体１５２は、図８、図１０および図１２に示すように、可動体１７１の姿勢を検知する位置検知手段２０６,２０７を備えている。実施例の第１可動演出体１５２は、可動体１７１の第１姿勢(図７参照)を検出する第１位置検出手段２０６と、該可動体１７１の待機姿勢(図５、図１２参照)を検出する第２位置検出手段２０７とを備えている。第１位置検出手段２０６は、支持体１７０の後壁１７０ｂに配設されたセンサ基板１８７に配設された第１位置検出センサ２０６ａおよび回転支持部材１７５に設けられた第１検出片２０６ｂを備え、第２位置検出手段２０７は、センサ基板１８７に配設された第２位置検出センサ２０７ａおよび回転支持部材１７５に設けられた第２検出片２０７ｂを備えている。第１位置検出手段２０６および第２位置検知手段２０７は上下方向にずれて設けられており、第２位置検出手段２０７が第１位置検出手段２０６の下方に位置している。これにより、第１検出片２０６ｂおよび第２検出片２０７ｂは、回転支持部材１７５の外周面において周方向および上下方向にずれており、第１検出片２０６ｂは、回転支持部材１７５の外周面における上縁部に設けられ、第２検出片２０７ｂは、該回転支持部材１７５の外周面における上下中間部に設けられている。
【００５６】
(第１配線および第２配線)
第１配線Ｗ１および第２配線Ｗ２は、図１５および図１６に示すように、複数の導線を帯状に並べて樹脂皮膜で覆ったフラットケーブルである。第１配線Ｗ１および第２配線Ｗ２は、幅方向において撓み変形が発現し難く、厚み方向において撓み変形が発現し易くなっている。第１配線Ｗ１および第２配線Ｗ２は、導線が塑性変形することで厚み方向において折り曲げることが可能となっており、直角、鈍角または鋭角に延在方向を変更することが可能となっている。第１配線Ｗ１は、中継基板１９７と可動体１７１に配設された可動表示ユニット２２２における駆動制御基板２２８(図１５参照)とを電気的に接続するものであり、第２配線Ｗ２は、中継基板１９７とセンサ基板１８７とを電気的に接続するものである。
【００５７】
(可動体)
可動体１７１は、図８〜図１１に示すように、作動機構１７３の第２駆動モータ１７４の駆動に伴って第１姿勢および第２姿勢に姿勢変位する可動ケース体２１０と、可動ケース体２１０内に画成された収容部２１１に収容され、所要の演出情報を表示可能な表示部２１３を備えた電気部品としての可動表示ユニット２１２とを備えている。実施例の可動表示ユニット２１２は、表示部２１３が液晶パネルからなる液晶表示ユニットである。可動表示ユニット２１２は、該可動表示ユニット２１２と可動ケース体２１０との間に設けられて該可動表示ユニット２１２を該可動ケース体２１０に保持する弾性変形可能な緩衝保持部材２１４を介して収容部２１１に収容されている。なお、可動体１７０の説明における「前後」、「左右」は、該可動体１７１が図７に示す第１姿勢となっている状態で指称する。
【００５８】
(可動表示ユニット)
可動表示ユニット２１２は、図８、図１０、図１１および図１７に示すように、表示部２１３が設けられた液晶パネル２２０と、液晶パネル２２０を保持するカバー部材２２１とを備えている。また、可動表示ユニット２１２は、液晶パネル２２０を駆動する駆動制御手段としての駆動制御基板２２８を備えている。液晶パネル２２０は、その表側に長方形の表示部２１３が設けられており、実施例では、液晶パネル２２０が、長手を上下方向とした縦向き姿勢で可動ケース体２１０に収容保持されるようになっている。液晶パネル２２０の表側には、表示部２１３を囲んで該液晶パネル２２０を補強する枠状のプレート２２２が配設されている。
【００５９】
(カバー部材)
カバー部材２２１は、図８、図１０、図１１および図１７に示すように、液晶パネル２２０の後面から後方へ離間して位置するカバー部２２３と、カバー部２２３の外周縁から液晶パネル２２０の後面に向けて延出する延出部２２４と、延出部２２４に連設されて液晶パネル２２０に係止固定される係止部２２５とを備えている。カバー部２２３は、上下長が液晶パネル２２０の上下長と同じで左右長が該液晶パネル２２０の左右長より短く設定され(図１７参照)、上下方向が長手となる略長方形に構成されている。すなわち、カバー部２２３は、駆動制御基板２２８を構成して液晶パネル２２０の後面に配設される第２駆動制御基板２３０より一回り大きいサイズに設定され、該第２駆動制御基板２３０をカバーするようになっている。延出部２２４は、カバー部２２３の左側縁および右側縁において、該カバー部２２３からの延出長が第２駆動制御基板２３０の厚み(該第２駆動制御基板２３０に実装された回路部品の厚みを含む)以上となっている(図８参照)。また、延出部２２４は、カバー部２２３の上縁および下縁において、該カバー部２２３からの延出長が第２駆動制御基板２３０の厚みより小さくなっている(図８、図１７参照)。係止部２２５,２２５は、延出部におけるカバー部２２３の左側縁および右側縁から延出した部分に連設されて上下方向に延在しており、左側の係止部２２５は液晶パネル２２０の左側縁に係止固定されると共に右側の係止部２２５は該液晶パネル２２０の右側縁に係止固定されるようになっている(図９、図１７参照)。
【００６０】
従って、カバー部材２２１は、図８に示すように、係止部２２５,２２５により液晶パネル２２０に装着した状態で、カバー部２２３および延出部２２４が第２駆動制御基板２３０を覆うようになる。ここで、カバー部２２３の下部には、図９〜図１１に示すように、延出部２２４に連なって前後および下方に開口した切り欠き２２６が形成されており、第２駆動制御基板２３０に配設された第３コネクタ端子２３３を後方へ露出可能となっている。また、図８〜図１１に示すように、延出部２２４におけるカバー部２２３の左側縁および右側縁に連設された部分には、カバー部材２２１の内側へ延出した保持片２２７が所定数(実施例では、左側縁および右側縁に２つずつ)設けられて、各保持片２２７は、第２駆動制御基板２３０の後面に当接して、該第２駆動制御基板２３０を液晶パネル２２０の後面に保持し得るようになっている。なお、カバー部材２２１は、ステンレスやアルミニウム等の熱伝導性が優れた金属製の薄肉板金部材であり、液晶パネル２２０から発生する熱を放熱可能となっている。
【００６１】
(駆動制御基板)
駆動制御基板２２８は、図８、図１０および図１１に示すように、可動ケース体２１０の収容部２１１内においてカバー部材２２１の外側(後側)に配設される第１駆動制御基板２２９と、液晶パネル２２０の裏側に配設されてカバー部材２２１により覆われる第２駆動制御基板２３０とから構成されている。第１駆動制御基板２２９は、後面上部に第１コネクタ端子２３１を備えると共に前面中央に第２コネクタ端子２３２を備え、第１コネクタ端子２３１には第１配線Ｗ１が接続される(図１５参照)。また、第２駆動制御基板２３０は、第３コネクタ端子２３３を備えており、第１駆動制御基板２２９の第２コネクタ端子２３２に接続された配線(図示せず)が夫々接続されるようになっており、第１駆動制御基板２２９と第２駆動制御基板２３０とは該配線を介して電気的に接続されている。
【００６２】
(可動ケース体)
可動ケース体２１０は、図８、図１０、図１１および図１５に示すように、箱体状に構成されて、内部に可動表示ユニット２１２を収容して保持可能な収容部２１１が画成されている。可動ケース体２１０は、複数の可動ケース部材２３５,２３６を組み付けて箱体状に構成される。実施例では、可動ケース体２１０の前側半体を構成する第１可動ケース部材２３５および該可動ケース体２１０の後側半体を構成する第２可動ケース部材２３６の２部材から構成されている。可動ケース体２１０は、該可動ケース体２１０の上部に、前述した回転支持部材１７５に連結される連結部２３７を備えている。また、可動ケース体２１０は、第１可動ケース部材２３５および第２可動ケース部材２３６を分離可能に連結される連結手段２３８を備えている。なお、第１可動ケース部材２３５および第２可動ケース部材２３６は、適宜の着色や加飾が施されて非透明に構成されると共に、第１可動ケース体２１０には可動表示ユニット２１２の表示部２１３を外部に露出させる表示開口２３９が形成され、可動ケース体２１０は、収容部２１１に収容された可動表示ユニット２１２の表示部２１３を除く部分を視認不能に構成されている。
【００６３】
(第１可動ケース部材)
第１可動ケース部材２３５は、図７、図８、図１０、図１１および図１５に示すように、矩形状をなすと共に前後に開口した前述の表示開口２３９が形成された前壁２３５ａと、該前壁２３５ａの外周縁に沿って延在すると共に後方へ延出した第１外周壁２３５ｂとを備えている。前壁２３５ａは、表示開口２３９を囲む枠状をなして、前面全体には所要の凹凸をなす意匠が施されている。第１外周壁２３５ｂにおける上壁部および下壁部には、前述した連結手段２３８を構成する連結片２４０,２４０が設けられている。また、第１外周壁２３５ｂの上壁部には、前述した連結部２３７を構成する第１連結半体２４１が設けられている。
【００６４】
(部材当接部)
第１可動ケース部材２３５は、図８、図９および図１５に示すように、可動表示ユニット２１２の上端面(外側面)２１２ａおよび下端面(外側面)２１２ｂに配設される緩衝保持部材２１４,２１４が当接する部材当接部２４２,２４３を備えている。すなわち、前壁２３５ａの後面には、左右に延在すると共に後方へ延出する第１部材当接部２４２が設けられている。第１部材当接部２４２は、可動表示ユニット２１２の上端面２１２ａに取り付けられた緩衝保持部材２１４が下方から当接して、該緩衝保持部材２１４を保持可能に構成されている。また、第１外周壁２３５ｂにおける下壁部の上面は、左右方向に延在すると共に後方へ延出する第２部材当接部２４３となっている。第２部材当接部２４３は、可動表示ユニット２１２の下端面２１２ｂに取り付けられた緩衝保持部材２１４が上方から当接して、該緩衝保持部材２１４を保持可能に構成されている。
【００６５】
(スライド体)
図８〜図１１に示すように、第１可動カバー部材２２１の下部には、前述した第１移動機構１５８を構成するスライド体１６９が配設されている。スライド体１６９は、連結部２３７を通る垂直軸線上において、第１可動カバー部材２２１における第１外周壁２３５ｂの下壁部に設けられている。すなわち、スライド体１６９は、第１可動カバー部材２２１における第１外周壁２３５ｂの下面右側に設けられている。実施例のスライド体１６９は、第１可動カバー部材２２１の第１外周壁２３５ｂから下方へ突出した回転支軸２４４に回転可能に配設された円形部材であり、第１可動演出体１５２が第１位置および第２位置の間を移動する際にはガイドレール１６３に沿って摺動し、可動体１７１が第１姿勢および第２姿勢の間を回転変位する際には可動ケース体２１０に対して相対回転しながら該可動ケース体２１０を支持するようになっている。
【００６６】
(第２可動ケース部材)
第２可動ケース部材２３６は、図１０、図１１および図１５に示すように、矩形状をなす後壁２３６ａと、該後壁２３６ａの外周縁に沿って延在すると共に前方へ延出した第２外周壁２３６ｂとを備えている。後壁２３６ａは、後面に所要の凹凸をなす意匠が施されている。第２外周壁２３６ｂにおける上壁部および下壁１７０ｃには、前述した連結手段２３８を構成する連結突部２４５,２４５が設けられている。第２外周壁２３６ｂの上壁部には、前述した連結部２３７を構成する第２連結半体２４６が設けられている。
【００６７】
(基板当接部)
第２可動ケース部材２３６には、図８および図１０に示すように、可動表示ユニット２１２に設けられた第１駆動制御基板２２９に当接する基板当接部２４７が設けられている。すなわち、基板当接部２４７は、第２外周壁２３６ｂにおける左右の縦壁部の内面において、後壁２３６ａの内面から前方へ延出すると共に収容部２１１側へ延出するように設けられている。実施例では、第２外周壁２３６ｂにおける左縦壁部の内面および右縦壁部の内面の夫々に、上下に離間して２つずつの基板当接部２４７が設けられている。従って、第１駆動制御基板２２９は、各基板当接部２４７の前端に当接した状態で、後壁２３６ａから前方へ離間した位置で収容部２１１内に収容されるようになっている。
【００６８】
(連結手段)
第１可動ケース部材２３５および第２可動ケース部材２３６を組み付けるための連結手段２３８は、図１０、図１１および図１５に示すように、第１可動ケース部材２３５に設けられた連結片２４０,２４０および第２可動ケース部材２３６に設けられた連結突部２４５,２４５から構成される。各連結片２４０,２４０には、第１可動ケース部材２３５の第１外周壁２３５ｂから後方へ延出した舌片であり、後端側が上下方向へ変位するように弾性変形が可能となっている。また、各連結片２４０,２４０には、該連結片２４０,２４０に上下方向に貫通した係止孔２４０ａが形成されており、該係止孔２４０ａに連結突部２４５,２４５が係止可能となっている。すなわち、各連結片２４０,２４０は、第１可動ケース部材２３５および第２可動ケース部材２３６を、第１外周壁２３５ｂの後端および第２外周壁２３６ｂの前端を対向させた状態で近接させる際に、上側の連結片２４０が上方へ弾性的に変位すると共に下側の連結片２４０が下方へ弾性的に変位して各連結突部２４５,２４５と各係止孔２４０ａ,２４０ａとの係止を許容し、第１外周壁２３５ｂの後端および第２外周壁２３６ｂの前端が当接することで、各連結突部２４５,２４５と各係止孔２４０ａ,２４０ａとの係止を許容するようになっている。
【００６９】
(連結部)
回転支持部材１７５に連結される連結部２３７は、図８、図１０、図１１、図１５および図１８に示すように、第１可動ケース部材２３５に設けられた第１連結半体２４１および第２可動ケース部材２３６に設けられた第２連結半体２４６により構成される。連結部２３７は、可動ケース体２１０の上面右側において、該可動ケース体２１０の前後中心よりも後側に偏倚した位置に、上方へ突出して設けられる。すなわち連結部２３７は、可動体１７１の重心位置に対して水平方向へずれた位置に設けられている。連結部２３７は、第１可動ケース部材２３５および第２可動ケース部材２３６を連結することで、半筒状の第１連結半体２４１および半筒状の第２連結半体２４６が前後に当接して円筒状に構成される。円筒状をなす連結部２３７は、回転支持部材１７５の本体２００に形成された内部空間２０３に下方から突入して嵌合する大きさに形成されており、該第１連結半体２４１の外周面が回転支持部材１７５の内周面に当接するよう構成されている(図８、図１８参照)。そして、第１連結半体２４１の上面には、上方へ突出すると共に上端面にネジ締結孔２４８ａが形成された固定ボス２４８が設けられている。この固定ボス２４８は、図８に示すように、回転支持部材１７５の本体２００の内部上方に設けられた固定孔２０８に差し込まれると共に、該固定ボス２４８に設けられたネジ締結孔２４８ａは、該回転支持部材１７５の上軸部２０１の中心に設けられたネジ挿通孔２０９に整合するようになっている。すなわち、ネジ挿通孔２０９に上方から挿通した固定ネジ(図示せず)が固定ボス２４８のネジ締結孔２４８ａに締結されることで、可動ケース体２１０と回転支持部材１７５とが連結した状態で固定される。
【００７０】
連結部２３７は、図８および図１８に示すように、可動ケース体２１０の収容部２１１内および該連結部２３７の側外方へ第１配線Ｗ１が延出した状態で収容可能に構成されている。すなわち、連結部２３７は、第１配線Ｗ１の折り曲げ部を第１連結半体２４１および第２連結半体２４６で挟み込み、該第１配線Ｗ１の一方を可動ケース体２１０の収容部２１１内に向け下方へ延出すると共に該第１配線Ｗ１の他方を連結部２３７の側外方に向けて水平に延出可能に構成されている。具体的には、第１連結半体２４１の内側には第１配線Ｗ１に当接する第１挟持片２４９が配設され、第２連結半体２４６の内側には第１配線Ｗ１に対して第１挟持片２４９と反対側から当接する第２挟持片２５０が設けられている。第１挟持片２４９は、上下方向に延在して設けられると共に、左右に離間して複数(実施例では２つ)設けられている。また第２挟持片２５０は、左右方向に延在して設けられると共に、上下に離間して複数(実施例では２つ)設けられている。
【００７１】
(配線挿通部)
図１５および図１８に示すように、第２連結半体２４６には、第１配線Ｗ１を挿通する第１配線挿通部２５１が設けられている。第１配線挿通部２５１は、連結部２３７の中心側が上下に細長いスリット状に開口すると共に、連結部２３７の径方向外方に向かうにつれて、該連結部２３７の周方向へ拡開した形状に形成されている。すなわち、第１配線挿通部２５１は、第１配線Ｗ１を、当該第１配線Ｗ１の幅方向が上下方向となる向きでの挿通を許容すると共に、連結部２３７の中心側が保持された状態で該連結部２３７の外周側において厚み方向への移動を許容するようになっている。そして、第１配線挿通部２５１は、可動ケース体２１０と回転支持部材１７５とを連結固定した際に、回転支持部材１７５に設けられた配線挿通口２０４に内側から整合するようになっている(図１８参照)。
【００７２】
また、図８に示すように、第１連結半体２４１の下壁部と第２連結半体２４６の下壁部との間に、第１配線Ｗ１を挿通する第２配線挿通部２５２が設けられている。第２配線挿通部２５２は、左右方向に細長いスリット状をなしており、当該第１配線Ｗ１を、その幅方向が左右方向となる向きでの挿通を許容する。
【００７３】
(緩衝保持部材)
緩衝保持部材２１４は、図８、図９および図１７に示すように、矩形状をなす可動表示ユニット２１２における４つの隅角部２１２ｃを覆うように該可動表示ユニット２１２に配設される。また、緩衝保持部材２１４は、少なくとも、可動表示ユニット２１２における表示部２１３を挟んで両側に位置する２つの外側面に、該外側面を覆うように配設される。実施例では、矩形箱体状をなす可動表示ユニット２１２に対して、表示部２１３を挟む該可動表示ユニット２１２の外側面における上端面２１２ａおよび下端面２１２ｂに、夫々１つずつの緩衝保持部材２１４,２１４が配設されるよう構成されている。可動表示ユニット２１２の上端面２１２ａに配設される緩衝保持部材２１４は、矩形状に構成された当該可動表示ユニット２１２の左上および右上の各隅角部２１２ｃ,２１２ｃを覆うと共に、当該可動表示ユニット２１２の上端面２１２ａを覆う形状に形成されている。また、可動表示ユニット２１２の下端面２１２ｂに配設される緩衝保持部材２１４は、矩形状に構成された当該可動表示ユニット２１２の左下および右下の各隅角部２１２ｃ,２１２ｃを覆うと共に、当該可動表示ユニット２１２の下端面２１２ｂを覆う形状に形成されている。なお、実施例では、可動表示ユニット２１２の下端面２１２ｂに配設される緩衝保持部材２１４および上端面２１２ａに配設される緩衝保持部材２１４は同一形状をなし、上下逆向きで可動表示ユニット２１２に夫々配設可能となっている。
【００７４】
各緩衝保持部材２１４,２１４は、合成ゴム(例えば、ウレタンゴムやシリコーンゴム等)や天然ゴム等を材質とし、圧縮性、弾力性および柔軟性を有しており、伸縮変形や曲げ変形が可能に構成されている。緩衝保持部材２１４,２１４は、図８、図９および図１７に示すように、可動表示ユニット２１２の上端面２１２ａまたは下端面２１２ｂを覆う第１保持部２５５を備えている。また、緩衝保持部材２１４,２１４は、第１保持部２５５の一縁(実施例では前縁)から延出して可動表示ユニット２１２の前面に当接する第２保持部２５６と、第１保持部２５５における一縁と対向する他縁(実施例では後縁)から延出して可動表示ユニット２１２の後面(カバー部材２２１のカバー部２２３の後面)に当接する第３保持部２５７とを備えている。更に、緩衝保持部材２１４,２１４は、第１保持部２５５の前縁および後縁とは異なる左側縁および右側縁から延出して液晶パネル２２０の左側縁および右側縁に当接する第４保持部２５８を備えている。
【００７５】
第１保持部２５５は、図８、図９および図１７に示すように、可動表示ユニット２１２の液晶パネル２２０およびカバー部材２２１の上端面に当接可能な横長の矩形状をなしている。そして、第２保持部２５６および第３保持部２５７は、第１保持部２５５の長手縁に沿って延在して該第１保持部２５５の短手方向で対向するよう形成され、各第４保持部２５８は、第１保持部２５５の短手縁に沿って延在して該第１保持部２５５の長手方向で対向するよう形成されている。そして、第３保持部２５７の左右中間部分は、左右方向へ所要幅の切り欠き部２５９が形成されており、該第３保持部２５７は左右に分離している。この切り欠き部２５９は、可動表示ユニット２１２の下端面２１２ｂに緩衝保持部材２１４を装着した際に、カバー部材２２１に形成された切り欠き２２６に整合するようになっており、第２駆動制御基板２３０の第３コネクタ端子２３３に接続された配線との緩衝を回避するためのものである。
【００７６】
ここで、第２保持部２５６は、図８および図１７に示すように、緩衝保持部材２１４を可動表示ユニット２１２に装着した際に、液晶パネル２２０の前面に設けられた表示部２１３に掛からない立ち上がり高さに形成されており、該表示部２１３での表示演出に支障を来たさないよう考慮されている。なお、実施例では、第３保持部２５７および第４保持部２５８の第１保持部２５５からの立ち上がり高さは、第２保持部２５６の立ち上がり高さと同じに設定されているが、第３保持部２５７および第４保持部２５８の立ち上がり高さを第２保持部２５６の立ち上がり高さより大きくしてもよい。また、実施例では、第１〜第４保持部２５５,２５６,２５７,２５８が、略同じ厚みとなっているが、夫々の厚みが異なっていてもよい。また、第１保持部２５５は、可動表示ユニット２１２の上端面２１２ａおよび下端面２１２ｂの輪郭形状と同じ輪郭形状に形成してもよい。
【００７７】
(基板保持板)
第１駆動制御基板２２９は、図８に示すように、基板保持板２６０に保持された状態で、可動ケース体２１０の収容部２１１内に配設される。基板保持板２６０は、図１０および図１１に示すように、第１駆動制御基板２２９と略同じ外縁形状に形成されたプレート状部材であり、その後面に第１駆動制御基板２２９が配設される。基板保持板２６０の後面には、第１駆動制御基板２２９に係止する基板保持部２６１が設けられている。基板保持部２６１は、基板保持板２６０の後面から後方へ突出したピン状部であり、基板保持板２６０の後面において上下に離間して複数(実施例では２つ)設けられている。各基板保持部２６１,２６１は、第１駆動制御基板２２９に形成された保持孔２２９ａ,２２９ａ(図１０、図１１、図１５参照)に差し込まれるようになっている。また、基板保持板２６０には、第１駆動制御基板２２９に配設された第３コネクタ端子２３３を該基板保持板２６０の裏側へ露出させる開口２６２が形成されている。
【００７８】
(ケース体に対する液晶表示ユニットの収容態様)
可動表示ユニット２１２は、図８および図９に示すように、その上端面２１２ａおよび下端面２１２ｂの夫々に緩衝保持部材２１４,２１４を配設した状態で可動ケース体２１０の収容部２１１内に収容して保持され、駆動制御基板２２８の第１駆動制御基板２２９は、基板保持板２６０に係止された状態で該収容部２１１内に収容して保持される。可動ケース体２１０の収容部２１１に可動表示ユニット２１２が収容された状態では、上端面２１２ａに配設された緩衝保持部材２１４の第１保持部２５５が第１可動ケース部材２３５に設けられた第１部材当接部２４２に下方から当接すると共に、下端面２１２ｂに配設された緩衝保持部材２１４の第１保持部２５５が第１可動ケース部材２３５に設けられた第２部材当接部２４３に上方から当接するようになっている。すなわち、可動表示ユニット２１２の上端面２１２ａに配設された緩衝保持部材２１４の第１保持部２５５は、該上端面２１２ａおよび第１部材当接部２４２により上下から挟まれて適宜に圧縮変形すると共に、可動表示ユニット２１２の下端面２１２ｂに配設された緩衝保持部材２１４の第１保持部２５５は、該下端面２１２ｂおよび第２部材当接部２４３により上下から挟まれて適宜に圧縮変形するようになる。従って、可動ケース体２１０の収容部２１１に収容された可動表示ユニット２１２は、各緩衝保持部材２１４,２１４の第１保持部２５５,２５５により上下方向において弾力的に保持されている。
【００７９】
また、可動ケース体２１０の収容部２１１に可動表示ユニット２１２が収容された状態では、図８および図９に示すように、上端面２１２ａに配設された緩衝保持部材２１４の第２保持部２５６が第１可動ケース部材２３５の前壁２３５ａの後面上部に後方から当接すると共に、当該緩衝保持部材２１４の第３保持部２５７が第２可動ケース部材２３６の基板当接部２４７に支持された基板保持板２６０の前面上部に前方から当接するようになっている。すなわち、可動表示ユニット２１２の上端面２１２ａに配設された緩衝保持部材２１４の第２保持部２５６は、可動表示ユニット２１２の前面上部(液晶パネル２２０の前面上部)および第１可動ケース部材２３５の前壁２３５ａにより前後から挟まれて適宜に圧縮変形すると共に、当該緩衝保持部材２１４の第３保持部２５７は、可動表示ユニット２１２の後面上部(カバー部材２２１の後面上部)および基板保持板２６０の前面上部により前後から挟まれて適宜に圧縮変形するようになる。一方、可動表示ユニット２１２の下端面２１２ｂに配設された緩衝保持部材２１４の第２保持部２５６が第１可動ケース部材２３５の前壁２３５ａの後面下部に後方から当接すると共に、当該緩衝保持部材２１４の第３保持部２５７が第２可動ケース部材２３６の基板当接部２４７に支持された基板保持板２６０の前面下部に前方から当接するようになっている。すなわち、可動表示ユニット２１２の下端面２１２ｂに配設された緩衝保持部材２１４の第２保持部２５６は、可動表示ユニット２１２の前面下部(液晶パネル２２０の前面下部)および第１可動ケース部材２３５の前壁２３５ａにより前後から挟まれて適宜に圧縮変形すると共に、当該緩衝保持部材２１４の第３保持部２５７は、可動表示ユニット２１２の後面下部(カバー部材２２１の後面下部)および基板保持板２６０の前面下部により前後から挟まれて適宜に圧縮変形するようになる。従って、可動ケース体２１０の収容部２１１に収容された可動表示ユニット２１２は、各緩衝保持部材２１４,２１４の第２保持部２５６,２５６および第３保持部２５７,２５７により上部および下部が前後方向において弾力的に保持されるようになっている。
【００８０】
また、可動ケース体２１０の収容部２１１に可動表示ユニット２１２が収容された状態では、図８および図９に示すように、上端面２１２ａに配設された緩衝保持部材２１４の左側の第４保持部２５８が第１可動ケース部材２３５の第１外周壁２３５ｂにおける左縦壁部の内面上部に右方から当接すると共に、当該緩衝保持部材２１４の右側の第４保持部２５８が該第１可動ケース部材２３５の第１外周壁２３５ｂにおける右縦壁部の内面上部に左方から当接するようになっている。すなわち、可動表示ユニット２１２の上端面２１２ａに配設された緩衝保持部材２１４の左側の第４保持部２５８は、可動表示ユニット２１２の左側面上部(液晶パネル２２０の左側面上部)および第１可動ケース部材２３５の第１外周壁２３５ｂの左縦壁部により左右から挟まれて適宜に圧縮変形すると共に、当該緩衝保持部材２１４の右側の第４保持部２５８は、可動表示ユニット２１２の右側面上部(液晶パネル２２０の右側面上部)および第１可動ケース部材２３５の第１外周壁２３５ｂの右縦壁部により左右から挟まれて適宜に圧縮変形するようになる。一方、可動表示ユニット２１２の下端面２１２ｂに配設された緩衝保持部材２１４の左側の第４保持部２５８が第１可動ケース部材２３５の第１外周壁２３５ｂにおける左縦壁部の内面下部に右方から当接すると共に、当該緩衝保持部材２１４の右側の第４保持部２５８が該第１可動ケース部材２３５の第１外周壁２３５ｂにおける右縦壁部の内面下部に左方から当接するようになっている。すなわち、可動表示ユニット２１２の下端面２１２ｂに配設された緩衝保持部材２１４の左側の第４保持部２５８は、可動表示ユニット２１２の左側面下部(液晶パネル２２０の左側面下部)および第１可動ケース部材２３５の第１外周壁２３５ｂの左縦壁部により左右から挟まれて適宜に圧縮変形すると共に、当該緩衝保持部材２１４の右側の第４保持部２５８は、可動表示ユニット２１２の右側面下部(液晶パネル２２０の右側面下部)および第１可動ケース部材２３５の第１外周壁２３５ｂの右縦壁部により左右から挟まれて適宜に圧縮変形するようになる。従って、可動ケース体２１０の収容部２１１に収容された可動表示ユニット２１２は、各緩衝保持部材２１４,２１４の各第４保持部２５８,２５８により上部および下部が左右方向において弾力的に保持されるようになっている。
【００８１】
また、基板保持板２６０は、図８に示すように、その前面上部および前面下部が、各緩衝保持部材２１４,２１４の第３保持部２５７,２５７に当接していることで、該基板保持板２６０と可動表示ユニット２１２のカバー部材２２１とが直接に接触しないよう構成されている。従って、基板保持板２６０に保持された第１駆動制御基板２２９も、該基板保持板２６０を介して可動ケース体２１０に対して弾力的に保持された状態となっている。
【００８２】
(第１配線の配設態様について)
次に、中継基板１９７と可動表示ユニット２１２の第１駆動制御基板２２９における第１コネクタ端子２３１とに接続される第１配線Ｗ１の支持体１７０内での配設態様につき、図１５、図１６、図１８〜図２１を引用して説明する。実施例では、第１配線Ｗ１が、可動体１７１が第１姿勢および第２姿勢の間を姿勢変位する際に、所定方向へ撓みながら変形するよう支持体１７０の収容空間１７０ａに配設されている。そして、回転支持部材１７５に設けられた前述の第２検出片２０７ｂが、可動体１７１が第１姿勢および第２姿勢の間を姿勢変位する際に、支持体１７０内において第１配線Ｗ１が移動する領域を通過するよう構成されている。なお、中継基板１９７とセンサ基板１８７とに接続される第２配線Ｗ２は、支持体１７０の配線挿通部１９５を通して該支持体１７０内に引き込んだ後、左壁１７０ｄの内面および後壁１７０ｂの内面に沿って配設されてセンサ基板１８７のコネクタ端子１８７ａに接続される(図１８参照)。
【００８３】
第１配線Ｗ１は、図８および図１５に示すように、可動体１７１の収容部２１１に収容保持された可動表示ユニット２１２用の駆動制御基板２２８における第１駆動制御基板２２９の第１コネクタ端子２３１に接続され、幅方向が左右方向となる向き上方へ延出される。そして、第２配線挿通部２５２を挿通した第１配線Ｗ１は、連結部２３７における第１連結半体２４１および第２連結半体２４６の間において幅方向が上下方向となる向きに折り曲げられ、第１配線挿通部２５１に挿通すると共に連結部２３７と固定された回転支持部材１７５の配線挿通口２０４に挿通して、支持体１７０の収容空間１７０ａ内に延出する。幅方向が上下方向となっている第１配線Ｗ１は、図９および図１８に示すように、収容空間１７０ａ内で後方へ凸となるよう撓ませた状態で規制ボス１９０と前壁１７０ｆとの間を左方へ通して、該規制ボス１９０と左壁１７０ｄとの間に曲げられる。そして、第１配線Ｗ１は、左壁１７０ｄと規制ボス１９０との間の隙間部分において、幅方向が前後方向となると共に上方へ延在するように適宜折り曲げられる。幅方向が前後方向となる向きで上方へ延出した第１配線Ｗ１は、支持体１７０の配線挿通部１９５を挿通して該支持体１７０の外部上方へ延出し、左右方向へ曲げられて中継基板１９７に接続される。すなわち、第１配線Ｗ１は、支持体１７０の収容空間１７０ａにおいて、後方へ凸となるよう撓んだ状態で配設されていることで、回転支持部材１７５の回転変位に伴って左右方向への伸縮変形が可能となっている。
【００８４】
(可動体の第１姿勢における第１配線の態様)
可動体１７１の第１姿勢(液晶パネル２２０の表示部２１３が前方に向いている姿勢)においては、図１８に示すように、回転支持部材１７５の配線挿通口２０４および連結部２３７の第１配線挿通部２５１が左斜め後方を指向しており、第１配線Ｗ１は、規制ボス１９０の前側から後方へ曲がると共に、後方へ凸となるように湾曲して配線挿通口２０４を介して第１配線挿通部２５１へ至っている。また、可動体１７１の第１姿勢においては、第２検出片２０７ｂが、回転支持部材１７５の外周面における右端と後端の中間に位置して右斜め後方へ延出しており、該第２検出片２０７ｂは、第１配線Ｗ１の移動領域から右方へ外れた位置となっている。
【００８５】
(可動体の待機姿勢における第１配線の態様)
可動体１７１の待機姿勢(液晶パネル２２０の表示部２１３が右斜め前方を向いている姿勢)は、図１９に示すように、第２検出片２０７ｂが第２位置検出センサ２０７ａで検出された位置であり、上方から見て、待機姿勢に対して反時計回りに約４５°回転した位置である。可動体１７１の待機姿勢においては、回転支持部材１７５の配線挿通口２０４および連結部２３７の第１配線挿通部２５１が左方やや後方を指向するようになり、第１姿勢と比べると、該回転支持部材１７５の配線挿通口２０４および連結部２３７の第１配線挿通部２５１が規制ボス１９０に近づいている。これにより第１配線Ｗ１は、可動体１７１の第１姿勢時と比べて、中間部分が後方へ移動して撓み度合が大きくなる。また、第２検出片２０７ｂは、可動体１７１の待機姿勢において、回転支持部材１７５の外周面における後端に位置して後方へ延出しており、また第１配線Ｗ１の移動領域から外れた位置となっている。
【００８６】
(可動体が待機姿勢から第２姿勢の間における第１配線の態様)
図２０は、可動体１７１が待機姿勢から第２姿勢に向けて回転変位する際の第１配線Ｗ１の態様の変化を経時的に示している。図２０(ａ)は、可動体１７１が図１９に示す待機姿勢から反時計方向へ回転して、回転支持部材１７５の配線挿通口２０４および連結部２３７の第１配線挿通部２５１と規制ボス１９０との間隔が最小となった状態を示している。図２０(ａ)に示す状態では、配線挿通口２０４および第１配線挿通部２５１と規制ボス１９０との間隔が最小となることで、第１配線Ｗ１は、撓み度合が最大である最大撓み状態となる。また、第２検出片２０７ｂは、可動体１７１の外周面における左端近傍に位置して左方へ延出しており、第１配線Ｗ１の移動領域内に位置するようになる。但し、第２検出片２０７ｂは、最大撓み状態となった第１配線Ｗ１に接触せずに近接した状態となっている。
【００８７】
図２０(ｂ)は、可動体１７１が、図２０(ａ)に示す姿勢から第２姿勢に向けて僅かに回転した状態を示している。この状態では、回転支持部材１７５の配線挿通口２０４および連結部２３７の第１配線挿通部２５１と規制ボス１９０との間隔が大きくなり始めることで、第１配線Ｗ１は、最大撓み状態より撓み度合が僅かに小さくなる。そして、第２検出片２０７ｂは、可動体１７１の外周面における左端に位置して左方へ延出しており、該第２検出片２０７ｂの先端が第１配線Ｗ１に接触するようになる。すなわち、第２検出片２０７ｂは、第１配線Ｗ１が最大撓み状態から緩み始めた後の適宜のタイミングで該第１配線Ｗ１に後方から接触するようになっている。
【００８８】
図２０(ｃ)は、可動体１７１が、図２０(ｂ)に示す姿勢から第２姿勢に向けて更に回転した状態を示している。この状態では、回転支持部材１７５の配線挿通口２０４および連結部２３７の第１配線挿通部２５１と規制ボス１９０との間隔が更に大きくなることで、第１配線Ｗ１は、更に緩んだ状態となる。そして、第２検出片２０７ｂは、可動体１７１の外周面における左端と前端の中間に位置して左前方へ延出しており、第１配線Ｗ１を前方へ押すようになる。すなわち、第２検出片２０７ｂは、緩みつつある第１配線Ｗ１が後方へ移動するのを規制して、該第１配線Ｗ１の安定した変形を補助するようになっている。
【００８９】
(可動体の第２姿勢における第１配線の態様)
可動体１７１の第２姿勢(液晶パネル２２０の表示部２１３が後方に向いている姿勢)は、図２１に示すように、上方から見て、第１姿勢に対して反時計回りに約１８０°回転した位置である。可動体１７１の第２姿勢においては、回転支持部材１７５の配線挿通口２０４および連結部２３７の第１配線挿通部２５１が右斜め前方を指向するようになり、配線挿通口２０４および第１配線挿通部２５１が規制ボス１９０から最も遠ざかった位置となる。これにより第１配線Ｗ１は、最大に緩んで支持体１７０の前壁２３５ａに沿うようになる。また、第２検出片２０７ｂは、可動体１７１の第２姿勢において、回転支持部材１７５の外周面における前端と左端との中間に位置して左斜め前方へ延出しており、第１配線Ｗ１の移動領域内において支持体１７０の前壁１７０ｆに最接近した移動位置となる。そして、移動位置へ移動した第２検出片２０７ｂは、前壁１７０ｆの保持リブ１９６との間に第１配線Ｗ１を挟むようになり、最大に緩んだ該第１配線Ｗ１を保持するようになっている。
【００９０】
すなわち、実施例の第１可動演出体１５２では、可動体１７１が第１姿勢および第２姿勢の間を姿勢変位する際に、第１配線Ｗ１の支持体１７０内に延在する部分が撓み変形すると共に、該第１配線Ｗ１が変形しながら移動する領域を第２検出片２０７ｂが移動するよう構成され、第１配線Ｗ１が移動する領域および第２検出片２０７ｂが移動する領域の一部が重なっている。そして、可動体１７１が第１姿勢および第２姿勢の間を姿勢変位する際に、変形しながら移動する第１配線Ｗ１に第２検出片２０７ｂが接触するよう構成することで、支持体１７０内における第１配線Ｗ１の変形および移動の安定化を図り得るようになっている。
【００９１】
(ロック装置)
実施例の可動演出装置１５０は、図５および図７に示すように、第１可動演出体１５２および第２可動演出体１５３の可動体１７１,１７１を、待機姿勢にロックするロック装置２６５,２６５を備えている。各ロック装置２６５,２６５は、作動手段としての電磁ソレノイド２６５ａと、該電磁ソレノイド２６５ａのロッドに固定されたロックピン２６５ｂとを備えており、該ロックピン２６５ｂが下方へ突出した姿勢で電磁ソレノイド２６５ａが固定ベース体１５１に固定されている。ロックピン２６５ｂは、第１可動演出体１５２および第２可動演出体１５３の可動体１７１,１７１における可動ケース体２１０の上面に設けられた係止孔２５３(図１５、図１９参照)に対し、電磁ソレノイド２６５ａの非励磁時に差し込まれ、該電磁ソレノイド２６５ａが励磁制御すると上昇移動して該係止孔２５３との係止が解除されるよう構成されている。従って、ロック装置２６５,２６５は、第１可動演出体１５２および第２可動演出体１５３の可動体１７１,１７１が第１位置に停止して可動体１７１,１７１が待機姿勢となった場合に、ロックピン２６５ｂを係止孔２５３に係止させて該第１可動演出体１５２および第２可動演出体１５３を保持し、励磁制御されることで第１可動演出体１５２および第２可動演出体１５３の作動を許容する。
【００９２】
(実施例の作用)
実施例のスロットマシン１０では、メダル投入口５９にメダルを投入するか、１ベットボタン６０またはＭＡＸベットボタン６１を操作すると、スタートレバー６３が有効化される。そして、有効化されたスタートレバー６３を操作すると、これに伴ってゲームが開始される。また、ゲームが開始されると、メイン制御装置１１１において入賞役に当選か否かを決定する入賞役抽選が実行されて複数種類の入賞役の何れかまたははずれが決定されると共に、第１〜第３リールユニット１０１,１０２,１０３の各リール１０７の回転が開始される。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット１０１,１０２,１０３のリール１０７の回転が停止される。そして、第１〜第３リールユニット１０１,１０２,１０３のリール１０７が全て停止することで１回のゲームが終了し、このゲームの結果、入賞役抽選で当選した入賞役に対応する図柄の組合わせが窓部８２,８２,８２に揃うと、入賞した入賞役に対応付けられた処理が実行される。
【００９３】
一方、メイン制御装置１１１のメイン制御基板での入賞役抽選結果が、サブ制御装置１１２のサブ制御基板に送信される。サブ制御装置１１２のサブ制御基板は、メイン制御装置１１１から受信した入賞役抽選結果に基づき、演出表示装置７５における表示ユニット７６の表示部７７での演出表示内容や、照明装置６８を含む照明装置の演出内容や、スピーカ７０での演出内容や、可動演出装置１５０を含む演出装置の作動有無等を決定して、決定した内容に基づいて夫々を作動制御する。また、サブ制御装置１１２のサブ制御基板は、可動演出装置１５０の作動が決定された場合に、第１可動演出体１５２および第２可動演出体１５３における各可動表示ユニット２１２,２１２の表示部２１３での演出表示内容を決定する。
【００９４】
(可動演出装置の作動態様について)
可動演出装置１５０は、サブ制御装置１１２により作動制御される。可動演出装置１５０は、非作動状態において第２位置検出手段２０７の第２位置検知センサ２０７ａが第２検出片２０７ｂを検出して、第１可動演出体１５２および第２可動演出体１５３は、夫々の可動体１７１が待機姿勢(図５、図６および図１２参照)となった状態で保持される。すなわち、図１に示すように、可動演出装置１５０の第１可動演出体１５２は、外周装飾部９３の左装飾壁９３ｂに近接して前面ユニット部材９０の収容部９５における左端に位置し、第２可動演出体１５３は、外周装飾部９３の右装飾壁９３ｃに近接して前面ユニット部材９０の収容部９５における右端に位置している。これにより、第１可動演出体１５２および第２可動演出体１５３は、演出表示装置７５における表示部７７の前方から退避しているので、該表示部７７の全体が前面ユニット部材９０の前面板部９４を介して視認可能であり、該表示部７７の演出表示を視認可能とする。
【００９５】
ここで、第１可動演出体１５２における可動表示ユニット２１２の表示部２１３が右斜め前方に向いていると共に、第２可動演出体１５３における可動表示ユニット２１２の表示部２１３が左斜め前方に向いているので、両表示部２１３,２１３に画像や映像等を演出表示するとこれも視認可能となる。また、第１可動演出体１５２の表示部２１３、演出表示装置７５の表示部７７および第２可動演出体１５３の表示部２１３が横並びとなっているので、各可動演出体１５２,１５３の表示部２１３,２１３の演出表示を、演出表示装置７５の表示部７７の演出表示と関連付けたものとすることで、幅広いインパクトある演出表示が可能である。
【００９６】
また、第１可動演出体１５２におよび第２可動演出体１５３が待機姿勢においては、図１９に示すように、回転支持部材１７５の配線挿通口２０４が左方やや後方を指向していることで、第１配線Ｗ１における支持体１７０の収容空間１７０ａに収容されている部分は、配線挿通口２０４と規制ボス１９０との間において、後方へ凸となって緩やかに湾曲した状態で延在している。また、第２検出片２０７ｂは、第２位置検出センサ２０７ａで検出される検出位置にあり、第１配線Ｗ１の移動領域から外れた位置となっている。
【００９７】
可動演出装置１５０は、第１移動機構１５８および第２移動機構１５９の第１駆動モータ１６０,１６０を作動させることで、第１可動演出体１５２および第２可動演出体１５３を、可動体１７１を待機姿勢に保持させた状態で第１位置および第２位置の間を往復移動させることができる。ここで、第１可動演出体１５２におよび第２可動演出体１５３は、第１位置および第２位置の間を、同期的に移動させたり、非同期的に移動させたり、何れか一方のみを移動させることが可能である。
【００９８】
可動演出装置１５０は、図１４に示すように、第１可動演出体１５２および第２可動演出体１５３の第１位置において作動機構１７３の第２駆動モータ１７４を作動させることで、該第１可動演出体１５２および第２可動演出体１５３の各可動体１７１,１７１を、待機姿勢および第２姿勢の間で回転変位させることが可能である。可動体１７１が第２姿勢の場合には、可動表示ユニット２１２の表示部２１３が後方を向いて視認不能となる。
【００９９】
可動演出装置１５０は、第１移動機構１５８および第２移動機構１５９の第１駆動モータ１６０,１６０を作動させると共に、第１可動演出体１５２および第２可動演出体１５３における作動機構１７３の第２駆動モータ１７４を作動させることで、可動体１７１を第１姿勢および第２姿勢の間で回転変位させながら第１位置および第２位置の間を往復移動させることができる。ここで、第１可動演出体１５２および第２可動演出体１５３の各可動体１７１,１７１は、第１姿勢および第２姿勢の間を、同期的に移動させたり、非同期的に移動させたり、何れか一方のみを移動させることが可能である。
【０１００】
可動演出装置１５０は、第１可動演出体１５２および第２可動演出体１５３を第１位置に停止させる際および第２位置に停止させる際に、可動表示ユニット２１２が可動ケース体２１０に収容された可動体１７１に衝撃が加わることがある。しかしながら、可動表示ユニット２１２は、その上端面２１２ａおよび下端面２１２ｂに装着した緩衝保持部材２１４,２１４を介して可動ケース体２１０に弾力的に保持されているので、可動体１７１に加わった衝撃が緩衝保持部材２１４,２１４で吸収され、可動表示ユニット２１２に加わる衝撃を緩和し得る。これにより、第１可動演出体１５２および第２可動演出体１５３を第１位置に停止させることや第２位置に停止させることによる可動表示ユニット２１２の異常や故障の発生が抑制されると共に、可動ケース体２１０と可動表示ユニット２１２との間にがたつきが生じることも防止される。
【０１０１】
更に、可動演出装置１５０は、可動体１７１を、第１姿勢に停止させる際、待機姿勢に停止させる際および第２姿勢に停止させる際に、該可動体１７１に衝撃が加わることがある。しかしながら、可動表示ユニット２１２は、その上端面２１２ａおよび下端面２１２ｂに装着した緩衝保持部材２１４,２１４を介して可動ケース体２１０に保持されているので、可動体１７１に加わった衝撃が緩衝保持部材２１４,２１４で吸収され、可動表示ユニット２１２に加わる衝撃を緩和し得る。これにより、可動体１７１を第１姿勢、待機姿勢または第２姿勢に停止させることによる可動表示ユニット２１２の異常や故障の発生が抑制されると共に、可動ケース体２１０と可動表示ユニット２１２との間にがたつきが生じることも防止される。
【０１０２】
緩衝保持部材２１４,２１４が可動表示ユニット２１２の上端面２１２ａおよび下端面２１２ｂに配設されるので、矩形状をなす可動表示ユニット２１２の４つの各隅角部２１２ｃが該緩衝保持部材２１４,２１４を介して可動ケース体２１０に保持されるようになり、該可動表示ユニット２１２に加わる衝撃を緩和し得る。しかも、各緩衝保持部材２１４,２１４の第１〜第４保持部２５５,２５６,２５７,２５８により、可動表示ユニット２１２が可動ケース体２１０に対して、上下方向、左右方向および前後方向から夫々保持されるので、可動表示ユニット２１２に対して上下方向、左右方向および前後方向から加わる衝撃を緩和し得る。
【０１０３】
そして、実施例の可動演出装置１５０の第１可動演出体１５２および第２可動演出体１５３では、図１８〜図２１に示すように、可動体１７１が第１姿勢および第２姿勢の間を姿勢変位する際に、第１配線Ｗ１の支持体１７０内に延在する部分が撓み変形する。すなわち、第１配線Ｗ１は、可動体１７１が第１姿勢および第２姿勢においては緩んだ状態となると共に、該可動体１７１が第１姿勢および第２姿勢の間において最大に撓んだ最大撓み状態となる。これにより、可動体１７１が第１姿勢および第２姿勢の間を回転変位する際に第１配線Ｗ１が突っ張ることがなく、該可動体１７１が第１姿勢および第２姿勢の間をスムーズに回転変位する。
【０１０４】
また、実施例の可動演出装置１５０の第１可動演出体１５２および第２可動演出体１５３では、図１８〜図２１に示すように、可動体１７１が第１姿勢および第２姿勢の間を姿勢変位する際に、第１配線Ｗ１が変形しながら移動する領域を第２検出片２０７ｂが移動するよう構成したことで、第１配線Ｗ１が移動する領域および第２検出片２０７ｂが移動する領域の一部が重なっている。従って、第１配線Ｗ１の移動領域と第２検出片２０７ｂの移動領域とを個別に分離して設ける必要がなく、可動演出装置１５０を構成する支持体１７０の構造が簡素化されて設計の自由度が高められると共に、可動演出装置１５０の小型化や軽量化が可能である。
【０１０５】
更に、第１可動演出体１５２および第２可動演出体１５３では、図１８〜図２１に示すように、可動体１７１が第１姿勢および第２姿勢の間を姿勢変位する際に、変形しながら移動する第１配線Ｗ１に第２検出片２０７ｂが接触するよう構成することで、支持体１７０内における第１配線Ｗ１の変形および移動の安定化を図り得る。しかも、可動体１７１の回転変位により第２検出片２０７ｂが移動位置へ移動した際には、支持体１７０の前壁１７０ｆと第２検出片２０７ｂとの間に第１配線Ｗ１が挟まれるので該第１配線Ｗ１が安定的に保持され、第１配線Ｗ１と可動表示ユニット２１２の第１駆動制御基板２２９の第１コネクタ端子２３１との接続不良が発生するのを防止し得ると共に、該第１配線Ｗ１が損傷するのを防止し得る。
【０１０６】
また、可動体１７１が第１姿勢から第２姿勢へ回転変位する際に、第１配線Ｗ１が最大撓み状態から緩み始めた以降の適宜のタイミングで、移動位置へ移動する第２検出片２０７ｂが、第１配線Ｗ１に接触すると共に該第１配線Ｗ１を前壁１７０ｆ側へ押すので、該第１配線Ｗ１が可動体１７０に引っ掛かることを防止し得る。
【０１０７】
〔変更例〕
本発明に係る遊技機は、実施例に例示の形態に限らず種々の変更が可能である。
（１）可動演出装置は、左右にスライド移動するものに限らず、上下に昇降移動するものであってもよい。
（２）配線は、中継基板および表示ユニットを電気的に接続するものに限らず、様々な電気部品(モータ、発光基板、センサ等)を接続する配線も対象とされる。
（３）配線の移動領域を移動する検出部は、可動体の第１姿勢を検出する第１位置検出手段の第１検出部であってもよい。また、可動体の第２姿勢を検出する位置検出手段を備えている場合には、該第２姿勢を検出する位置検出手段の検出部であってもよい。
（４）可動体が第２姿勢から第１姿勢へ姿勢変位する途中に第１配線に検出部が接触すると共に、該検出部と支持体の壁部とにより第１配線を挟むよう構成してもよい。
（５）電気部品に接続された配線と接触する検出部は、該検出部の該配線と接触する部分の縁部を面取りしてもよい。検出部の配線に接触する部分の縁部を、面取りしてＲ面またはＣ面とすることで、当該検出部との接触により配線が傷付くことを防止し得る。
（６）緩衝保持部材は、可動表示ユニットの各隅角部に個別に装着されるよう構成されたものであってもよい。
（７）緩衝保持部材は、可動表示ユニットの外端面の全周に亘って延在する形状や長さのものであってもよい。
（８）緩衝保持部材は、可動表示ユニットの対向する外端面であれば、左右方向で対向する左右の側端面に夫々装着されるよう構成されたものであってもよい。
（９）可動演出装置は、前面扉ではなく、筐体や支持枠体に配設したものであってもよい。
（１０）実施例では、サブ制御装置により可動演出装置を作動制御するようにしたが、メイン制御装置により該可動演出装置を作動制御するようにしてもよい。
（１１）実施例では、遊技機としてのスロットマシンを示したが、可動演出装置が配設される遊技機はスロットマシンに限られるものではなく、パチンコ機やアレンジボール機等であってもよい。すなわち、本願発明は、固定枠としての外枠の開口前面側に開閉および着脱可能に組み付けられ、図柄表示装置が配設された遊技盤を着脱可能に保持する本体枠としての中枠を有する本体と、該本体における中枠の前面側に開閉可能に組み付けられ、遊技盤を透視保護可能に構成された装飾枠としての前枠からなる前側部材とを備えたパチンコ機において、当該中枠、遊技盤または前枠に、支持体に所定範囲で姿勢変位可能に支持されると共に電気部品を備えた可動体と、前記可動体に設けられ、該可動体が所定の姿勢に変位した際に位置検出手段で検出される検出部とを備えたパチンコ機も対象とされる。
（１２）実施例では、筐体と前面扉との間に支持枠体が配設されて、図柄表示装置および制御装置を該支持枠体に配設して構成されたスロットマシンを例示したが、支持枠体を装備せずに、図柄表示装置および制御装置が筐体内に設置されたスロットマシンであってもよい。
【０１０８】
本願には、次のような技術的思想が含まれている。
(付記１)
前記表示ユニット(212)の後面とケース体(210)との間に、該表示ユニット(212)を駆動する駆動基板(230)を保持する保持部材(260)が配設され、
前記表示ユニット(212)と保持部材(260)との間に、該保持部材(260)を該表示ユニット(212)に保持する弾性変形可能な第２の緩衝保持部材(214)が配設されている。
付記１に係る発明によれば、駆動基板を保持した保持部材を、表示ユニットに安定的に保持することができる。
【符号の説明】
【０１０９】
１７０ 支持体
１７１ 可動体
１７４ 第２駆動モータ(駆動手段)
２０７ａ 第２位置検出センサ(位置検出手段)
２０７ｂ 第２検出片(検出部)
２１２ 可動表示ユニット(電気部品)
Ｗ１ 第１配線(配線)
【図１】
2018110908.tif 000003
【図２】
2018110908.tif 000004
【図３】
2018110908.tif 000005
【図４】
2018110908.tif 000006
【図５】
2018110908.tif 000007
【図６】
2018110908.tif 000008
【図７】
2018110908.tif 000009
【図８】
2018110908.tif 000010
【図９】
2018110908.tif 000011
【図１０】
2018110908.tif 000012
【図１１】
2018110908.tif 000013
【図１２】
2018110908.tif 000014
【図１３】
2018110908.tif 000015
【図１４】
2018110908.tif 000016
【図１５】
2018110908.tif 000017
【図１６】
2018110908.tif 000018
【図１７】
2018110908.tif 000019
【図１８】
2018110908.tif 000020
【図１９】
2018110908.tif 000021
【図２０】
2018110908.tif 000022
【図２１】
2018110908.tif 000023
【図２２】
2018110908.tif 000024